(57)【要約】【課題】光アッド／ドロップ装置等をより少ない部品数で実現可能とすることにより小型化を図るとともに、同一のモジュール部品をさまざまな通信装置に適用可能とする光通信モジュールとする。【解決手段】光信号は光信号入力ポート１から入力されＯＥ変換器１１にて電気信号となり信号再生回路１２にて再生される。再生された信号は、フォーマット変換回路１６を経て電気信号出力ポート４から出力されると共に、スイッチ１３を経由してＥＯ変換器１４にて光信号に変換され、光信号出力ポート２から出力される。一方、電気信号入力ポート３から入力された電気信号は、フォーマット変換回路１０及びスイッチ１３を経由してＥＯ変換器１４にて光信号に変換され、光信号出力ポート２から出力される。スイッチ１３から出力される信号は、制御回路１５にて制御する。【選択図】        図１
2004282312.tif 000002
【特許請求の範囲】
【請求項１】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつスイッチと、スイッチの出力が入力されるｎ個の電気光変換器と、制御信号入力用ポートからの信号が入力されスイッチの２ｎ個の入力のうちの任意のｎ個の入力を電気光変換器に供給するための制御を行なう制御回路と、信号再生回路の出力が入力されるｎ個の第２の信号フォーマット変換回路を備え、電気光変換器の光出力と第２の信号フォーマット変換回路の出力をそれぞれ光信号出力ポートと電気信号出力ポートから出力することを特徴とした光通信モジュール。
【請求項２】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつスイッチと、スイッチの出力が入力されるｎ個の電気光変換器と、信号再生回路の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力のうちの任意のｎ個の入力を電気光変換器に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項３】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつスイッチと、スイッチの出力が入力されるｎ個のパラレルシリアル変換回路と、パラレルシリアル変換回路の出力が入力されるｎ個の電気光変換器と、制御信号入力用ポートからの信号が入力されスイッチの２ｎ個の入力のうちの任意のｎ個の入力を電気光変換器に供給するための制御を行なう制御回路と、シリアルパラレル変換回路の出力が入力されるｎ個の第２の信号フォーマット変換回路を備え、電気光変換器の光出力と第２の信号フォーマット変換回路の出力をそれぞれ光信号出力ポートと電気信号出力ポートから出力することを特徴とした光通信モジュール。
【請求項４】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつスイッチと、スイッチの出力が入力されるｎ個のパラレルシリアル変換回路と、パラレルシリアル変換回路の出力が入力されるｎ個の電気光変換器と、シリアルパラレル変換回路の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力のうちの任意のｎ個の入力を電気光変換器に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項５】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、信号再生回路の出力が入力されるｎ個の第２の信号フォーマット変換回路と、ｎ個の第２の信号フォーマット変換回路の出力が入力されｎ個の出力をもつ第２のスイッチと、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２のスイッチの出力をそれぞれ光信号出力ポートと電気信号出力ポートから出力することを特徴とした光通信モジュール。
【請求項６】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、信号再生回路の出力が入力されるｎ個の第２の信号フォーマット変換回路と、ｎ個の第２の信号フォーマット変換回路の出力が入力されｎ個の出力をもつ第２のスイッチと、第２のスイッチの出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項７】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、シリアルパラレル変換回路の出力が入力されるｎ個の第２の信号フォーマット変換回路と、ｎ個の第２の信号フォーマット変換回路の出力が入力されｎ個の出力をもつ第２のスイッチと、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２のスイッチの出力をそれぞれ光信号出力ポートと電気信号出力ポートから出力することを特徴とした光通信モジュール。
【請求項８】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、シリアルパラレル変換回路の出力が入力されるｎ個の第２の信号フォーマット変換回路と、ｎ個の第２の信号フォーマット変換回路の出力が入力されｎ個の出力をもつ第２のスイッチと、第２のスイッチの出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項９】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、ｎ個の信号再生回路の出力が入力されｎ個の出力をもつ第２のスイッチと、第２のスイッチの出力が入力されるｎ個の第２の信号フォーマット変換回路と、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項１０】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、ｎ個の信号再生回路の出力が入力されｎ個の出力をもつ第２のスイッチと、第２のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項１１】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２のスイッチと、第２のスイッチの出力が入力されるｎ個の第２の信号フォーマット変換回路と、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項１２】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２のスイッチと、第２のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項１３】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個の電気光変換器と、第１のスイッチの出力が入力されるｎ個の第２の信号フォーマット変換回路と、制御信号入力用ポートからの信号が入力され第２のスイッチの２ｎ個の入力のうちの任意のｎ個の入力を電気光変換器に供給するための制御を行なうとともに第１のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項１４】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個の電気光変換器と、第１のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第２のスイッチの２ｎ個の入力のうちの任意のｎ個の入力を電気光変換器に供給するための制御と第１のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項１５】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個のパラレルシリアル変換回路と、パラレルシリアル変換回路の出力が入力されるｎ個の電気光変換器と、第１のスイッチの出力が入力されるｎ個の第２の信号フォーマット変換回路と、制御信号入力用ポートからの信号が入力され第２のスイッチの２ｎ個の入力のうちの任意のｎ個の入力を電気光変換器に供給するための制御を行なうとともに第１のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項１６】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個のパラレルシリアル変換回路と、パラレルシリアル変換回路の出力が入力されるｎ個の電気光変換器と、第１のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第２のスイッチの２ｎ個の入力のうちの任意のｎ個の入力を電気光変換器に供給するための制御と第１のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項１７】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の第１の出力とｎ個の第２の出力をもつスイッチと、スイッチの第１の出力が入力されるｎ個の電気光変換器と、スイッチの第２の出力が入力されるｎ個の第２の信号フォーマット変換回路と、制御信号入力用ポートからの信号が入力されスイッチの２ｎ個の入力を任意の第１の出力もしくは第２の出力に供給するための制御を行なう制御回路を備え、電気光変換器の光出力と第２の信号フォーマット変換回路の出力をそれぞれ光信号出力ポートと電気信号出力ポートから出力することを特徴とした光通信モジュール。
【請求項１８】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の第１の出力とｎ個の第２の出力をもつスイッチと、スイッチの第１の出力が入力されるｎ個の電気光変換器と、スイッチの第２の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力を任意の第１の出力もしくは第２の出力に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項１９】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の第１の出力とｎ個の第２の出力をもつスイッチと、スイッチの第１の出力が入力されるｎ個のパラレルシリアル変換回路と、パラレルシリアル変換回路の出力が入力されるｎ個の電気光変換器と、スイッチの第２の出力が入力されるｎ個の第２の信号フォーマット変換回路と、制御信号入力用ポートからの信号が入力されスイッチの２ｎ個の入力を任意の第１の出力もしくは第２の出力に供給するための制御を行なう制御回路を備え、電気光変換器の光出力と第２の信号フォーマット変換回路の出力をそれぞれ光信号出力ポートと電気信号出力ポートから出力することを特徴とした光通信モジュール。
【請求項２０】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の第１の出力とｎ個の第２の出力をもつスイッチと、スイッチの第１の出力が入力されるｎ個のパラレルシリアル変換回路と、パラレルシリアル変換回路の出力が入力されるｎ個の電気光変換器と、スイッチの第２の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力を任意の第１の出力もしくは第２の出力に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項２１】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつスイッチと、スイッチの出力が入力されるｎ個の電気光変換器と、ｎ個の信号再生回路の出力が入力されｎ個の出力をもつ第２の信号フォーマット変換回路と、制御信号入力用ポートからの信号が入力されスイッチの２ｎ個の入力のうちの任意のｎ個の入力を電気光変換器に供給するための制御を行なうとともに第１の信号フォーマット変換回路と第２の信号フォーマット変換回路の変換形式を変更する制御回路を備え、電気光変換器の光出力と第２の信号フォーマット変換回路の出力をそれぞれ光信号出力ポートと電気信号出力ポートから出力することを特徴とした光通信モジュール。
【請求項２２】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつスイッチと、スイッチの出力が入力されるｎ個の電気光変換器と、ｎ個の信号再生回路の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力のうちの任意のｎ個の入力を電気光変換器に供給するための制御と第１の信号フォーマット変換回路と第２の信号フォーマット変換回路の変換形式の変更を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項２３】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の出力をもつスイッチと、スイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２の信号フォーマット変換回路と、制御信号入力用ポートからの信号が入力されスイッチの２ｎ個の入力のうちの任意のｎ個の入力を電気光変換器に供給するための制御を行なうとともに第１の信号フォーマット変換回路と第２の信号フォーマット変換回路の変換形式を変更する制御回路を備え、電気光変換器の光出力と第２の信号フォーマット変換回路の出力をそれぞれ光信号出力ポートと電気信号出力ポートから出力することを特徴とした光通信モジュール。
【請求項２４】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の出力をもつスイッチと、スイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力のうちの任意のｎ個の入力を電気光変換器に供給するための制御と第１の信号フォーマット変換回路と第２の信号フォーマット変換回路の変換形式の変更を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項２５】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつ第１のスイッチと、第１のスイッチの出力が入力されるｎ個の電気光変換器と、ｎ個の信号再生回路の出力が入力されｎ個の出力をもつ第２の信号フォーマット変換回路と、第２の信号フォーマット変換回路のｎ個の出力が入力されｎ個の出力をもつ第２のスイッチと、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更を行なうとともに第２のスイッチの方路切り替えを行なう制御回路を備え、電気光変換器の光出力と第２のスイッチの出力をそれぞれ光信号出力ポートと電気信号出力ポートから出力することを特徴とした光通信モジュール。
【請求項２６】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつ第１のスイッチと、第１のスイッチの出力が入力されるｎ個の電気光変換器と、ｎ個の信号再生回路の出力が入力されｎ個の出力をもつ第２の信号フォーマット変換回路と、第２の信号フォーマット変換回路のｎ個の出力が入力されｎ個の出力をもつ第２のスイッチと、第２のスイッチの出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項２７】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２の信号フォーマット変換回路と、第２の信号フォーマット変換回路のｎ個の出力が入力されｎ個の出力をもつ第２のスイッチと、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更を行なうとともに第２のスイッチの方路切り替えを行なう制御回路を備え、電気光変換器の光出力と第２のスイッチの出力をそれぞれ光信号出力ポートと電気信号出力ポートから出力することを特徴とした光通信モジュール。
【請求項２８】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２の信号フォーマット変換回路と、第２の信号フォーマット変換回路のｎ個の出力が入力されｎ個の出力をもつ第２のスイッチと、第２のスイッチの出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項２９】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつ第１のスイッチと、第１のスイッチの出力が入力されるｎ個の電気光変換器と、ｎ個の信号再生回路の出力が入力されｎ個の出力をもつ第２のスイッチと、第２のスイッチのｎ個の出力が入力されｎ個の出力をもつ第２の信号フォーマット変換回路と、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更を行なうとともに第２のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項３０】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつ第１のスイッチと、第１のスイッチの出力が入力されるｎ個の電気光変換器と、ｎ個の信号再生回路の出力が入力されｎ個の出力をもつ第２のスイッチと、第２のスイッチのｎ個の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項３１】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の出力をもつ第１のスイッチと、第１のスイッチの出力が入力されるｎ個の電気光変換器と、ｎ個のシリアルパラレル変換回路の出力が入力されｎ個の出力をもつ第２のスイッチと、第２のスイッチのｎ個の出力が入力されｎ個の出力をもつ第２の信号フォーマット変換回路と、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更を行なうとともに第２のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項３２】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の出力をもつ第１のスイッチと、第１のスイッチの出力が入力されるｎ個の電気光変換器と、ｎ個のシリアルパラレル変換回路の出力が入力されｎ個の出力をもつ第２のスイッチと、第２のスイッチのｎ個の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第１の信号フォーマット変換回路と第２の信号フォーマット変換回路の変換形式の変更と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項３３】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されｎ個の出力をもつ第１のスイッチと、第１のスイッチのｎ個の出力が入力されるとともに第１の信号フォーマット変換回路のｎ個の出力が入力されｎ個の出力をもつ第２のスイッチと、第２のスイッチの出力が入力されるｎ個の電気光変換器と、第１のスイッチのｎ個の出力が入力されｎ個の出力をもつ第２の信号フォーマット変換回路と、制御信号入力用ポートからの信号が入力され第２のスイッチの２ｎ個の入力のうちの任意のｎ個の入力を電気光変換器に供給するための制御と第１の信号フォーマット変換回路と第２の信号フォーマット変換回路の変換形式の変更を行なうとともに第１のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項３４】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されｎ個の出力をもつ第１のスイッチと、第１のスイッチのｎ個の出力が入力されるとともに第１の信号フォーマット変換回路のｎ個の出力が入力されｎ個の出力をもつ第２のスイッチと、第２のスイッチの出力が入力されるｎ個の電気光変換器と、第１のスイッチのｎ個の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第２のスイッチの２ｎ個の入力のうちの任意のｎ個の入力を電気光変換器に供給するための制御と第１の信号フォーマット変換回路と第２の信号フォーマット変換回路の変換形式の変更と第１のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項３５】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されｎ個の出力をもつ第１のスイッチと、第１のスイッチのｎ個の出力が入力されるとともに第１の信号フォーマット変換回路のｎ個の出力が入力されｎ個の出力をもつ第２のスイッチと、第２のスイッチの出力が入力されるｎ個のパラレルシリアル変換回路と、パラレルシリアル変換回路の出力が入力されるｎ個の電気光変換器と、第１のスイッチのｎ個の出力が入力されｎ個の出力をもつ第２の信号フォーマット変換回路と、制御信号入力用ポートからの信号が入力され第２のスイッチの２ｎ個の入力のうちの任意のｎ個の入力を電気光変換器に供給するための制御と第１の信号フォーマット変換回路と第２の信号フォーマット変換回路の変換形式の変更を行なうとともに第１のスイッチの方路切り替えを行なう制御回路を備え、電気光変換器の光出力と第２の信号フォーマット変換回路の出力をそれぞれ光信号出力ポートと電気信号出力ポートから出力することを特徴とした光通信モジュール。
【請求項３６】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されｎ個の出力をもつ第１のスイッチと、第１のスイッチのｎ個の出力が入力されるとともに第１の信号フォーマット変換回路のｎ個の出力が入力されｎ個の出力をもつ第２のスイッチと、第２のスイッチの出力が入力されるｎ個のパラレルシリアル変換回路と、パラレルシリアル変換回路の出力が入力されるｎ個の電気光変換器と、第１のスイッチのｎ個の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第２のスイッチの２ｎ個の入力のうちの任意のｎ個の入力を電気光変換器に供給するための制御と第１の信号フォーマット変換回路と第２の信号フォーマット変換回路の変換形式の変更と第１のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項３７】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の第１の出力とｎ個の第２の出力をもつスイッチと、スイッチの第１の出力が入力されるｎ個の電気光変換器と、スイッチのｎ個の第２の出力が入力されｎ個の出力をもつ第２の信号フォーマット変換回路と、制御信号入力用ポートからの信号が入力されスイッチの２ｎ個の入力を任意の第１の出力もしくは第２の出力に供給するための制御を行なうとともに第１の信号フォーマット変換回路と第２の信号フォーマット変換回路の変換形式の変更を行なう制御回路を備え、電気光変換器の光出力と第２の信号フォーマット変換回路の出力をそれぞれ光信号出力ポートと電気信号出力ポートから出力することを特徴とした光通信モジュール。
【請求項３８】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の第１の出力とｎ個の第２の出力をもつスイッチと、スイッチの第１の出力が入力されるｎ個の電気光変換器と、スイッチのｎ個の第２の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力を任意の第１の出力もしくは第２の出力に供給するための制御と第１の信号フォーマット変換回路と第２の信号フォーマット変換回路の変換形式の変更を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項３９】
ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の第１の出力とｎ個の第２の出力をもつスイッチと、スイッチの第１の出力が入力されるｎ個のパラレルシリアル変換回路と、パラレルシリアル変換回路の出力が入力されるｎ個の電気光変換器と、スイッチのｎ個の第２の出力が入力されｎ個の出力をもつ第２の信号フォーマット変換回路と、制御信号入力用ポートからの信号が入力されスイッチの２ｎ個の入力を任意の第１の出力もしくは第２の出力に供給するための制御を行なうとともに第１の信号フォーマット変換回路と第２の信号フォーマット変換回路の変換形式の変更を行なう制御回路を備え、電気光変換器の光出力と第２の信号フォーマット変換回路の出力をそれぞれ光信号出力ポートと電気信号出力ポートから出力することを特徴とした光通信モジュール。
【請求項４０】
ｎ（ｎは２以上の整数）個の光信号入力ポートと、ｎ個の光信号出力ポートと、ｎ個の電気信号入カポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともに第１の信号フォーマット変換回路のｎ個の出力が入力されｎ個の第１の出力とｎ個の第２の出力をもつスイッチと、スイッチの第１の出力が入力されるｎ個のパラレルシリアル変換回路と、パラレルシリアル変換回路の出力が入力されるｎ個の電気光変換器と、スイッチのｎ個の第２の出力が入力されｎ個の出力をもつ第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力を任意の第１の出力もしくは第２の出力に供給するための制御と第１の信号フォーマット変換回路と第２の信号フォーマット変換回路の変換形式の変更を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とした光通信モジュール。
【請求項４１】
請求項１ないし請求項２０のいずれか１項の光通信モジュールにおいて、第１の信号フォーマット変換回路内にてパラレルシリアル変換を行なうとともに、第２の信号フォーマット変換回路内にてシリアルパラレル変換を行なうことを特徴とする光通信モジュール。
【請求項４２】
請求項２１ないし請求項４０のいずれか１項の光通信モジュールにおいて、ｎ個の光信号入力ポートからの信号をそれぞれ独立に電気信号出力ポートもしくは光信号出力ポートに出力する第１の動作モードと、ｎ個の光信号入力ポートからの信号を一括して電気信号出力ポートもしくは光信号出力ポートに出力する第２の動作モードを有し、第１の動作モードでは、第１の信号フォーマット変換回路と第２の信号フォーマット変換回路はそれぞれｎ個の入力毎に独立動作し、第２の動作モードでは、第１の信号フォーマット変換回路と第２の信号フォーマット変換回路はそれぞれｎ個の入力を一括してフォーマット変換することを特徴とする光通信モジュール。
【請求項４３】
請求項１ないし請求項４２のいずれか１項の光通信モジュールにおいて、ｎ個の電気光変換回路がそれぞれ異なる波長を有する光信号を出力することを特徴とする光通信モジュール。
【請求項４４】
請求項１ないし請求項４３のいずれか１項の光通信モジュールにおいて、電気光変換回路より出力する光信号の波長が可変であることを特徴とする光通信モジュール。
【請求項４５】
請求項４４の光通信モジュールにおいて、制御信号入力用ポートにより電気光変換回路より出力する光信号の波長を制御することを特徴とする光通信モジュール。
【請求項４６】
互いに異なる波長を有するｎ（ｎは２以上の整数〉個の光信号を波長多重して得られたＷＤＭ信号光を供給されてｎ個の光信号に分離する光デマルチプレクサと、光デマルチプレクサのｎ個の出力が入力されるとともにｎ個の電気信号が入力されｎ個の光信号とｎ個の電気信号を出力する請求項４３ないし請求項４５のいずれか１項の光通信モジュールと、光通信モジュールのｎ個の光信号出力が入力され入力されたｎ個の光信号を波長多重する光マルチプレクサを備えることを特徴とする光アッド／ドロップ装置。
【発明の詳細な説明】
【０００１】
【発明の属する技術分野】
本発明は光通信装置に適用される光通信モジュール及び光アッド／ドロップ装置に関するものである。
【０００２】
【従来の技術】
近年、トラヒックの増大に伴い、ネットワークの大容量化が要求されている。その要求を満たすために、光通信装置および光通信装置用の光通信モジュールの研究開発が活発に行なわれている。
【０００３】
図４４は、光トランシーバと呼ばれる一般的な光通信モジュールのブロック図である（非特許文献１参照）。図４４において、０１は光電気変換器、０２は信号再生回路、０３は電気光変換器である。このようなモジュールは汎用性が高いが、多数の光信号を処理する通信装置を構成する場合、光通信モジュールを多数搭載する必要があり、通信装置の小型化が困難となる。また、光信号のデータレートが高くなると、電気信号の配線が困難になるという問題もある。
【０００４】
図４５は、図４４の光通信モジュールにシリアルパラレル変換等の信号フォーマット変換回路０４，０５を追加した光通信モジュールである（非特許文献２参照）。入力された光信号を電気信号に変換した後に信号フォーマット変換回路０４でシリアルパラレル変換して並列電気信号として出力し、また並列電気信号を入力し信号フォーマット変換回路０５でパラレルシリアル変換を行なった後に光信号に変換することにより、図４４の光通信モジュールの問題の１つである電気信号配線の困難性については解決可能である。しかし、多数の光信号を処理する通信装置の小型化は困難である。
【０００５】
多数の光信号を処理する通信装置の小型化を実現するための光通信モジュールとして、図４５の光通信モジュールに搭載されている各機能ブロックを複数個並列に搭載する光通信モジュールの研究開発が進められている。そのような光通信モジュールの仕様例としては、光通信の業界標準仕様の協議団体であるＯｐｔｉｃａｌ  Ｉｎｔｅｒｎｅｔｗｏｒｋｉｎｇ  Ｆｏｒｕｍ  （ＯＩＦ）でＳＦＩ−５ｓとよばれる４組の光信号入出力に対応した並列電気信号インターフェースの規格が作成されている（非特許文献３参照）。図４６はその規格を適用した光通信モジュールのブロック図である。なお図４６において、０１１は４個の光電気変換器、０１２は４個の信号再生回路、０１３は４個の電気光変換器、０１４は４個の信号フォーマット変換回路、０１５は４個の信号フォーマット変換回路である。
【０００６】
一方、光信号のデータレートが高い場合、電気信号の配線の問題だけでなく、電気光変換器や光電気変換器等に要求される性能が高くなるために、電気光変換器や光電気変換器等の低コスト化が難しいという問題があり、それを解決するための光通信モジュールとして光信号入出力を並列光信号として処理する光通信モジュールの研究開発も進められている。そのような光通信モジュールの仕様例としては、ＯＩＦでＶＳＲ４−０１と呼ばれている光通信モジュールの規格が作成されている。図４７はそのブロック図である（非特許文献４参照）。なお図４７において、０２１は複数の光電気変換器、０２２は複数の信号再生回路、０２３は複数の電気光変換器、０２４は複数の信号フォーマット変換回路、０２５は複数の信号フォーマット変換回路である。
【０００７】
このような光通信モジュールでは、光電気変換器等は複数個搭載されるが、複数の光電気変換器から入力された信号を一括して処理を行なうため、図４６のように複数の光信号を独立に処理できるわけではない。したがって、多数の光信号を処理する通信装置の小型化は困難である。
【０００８】
また、図４８は、ＯＩＦでＶＳＲ−５と呼ばれている光通信モジュールの規格のうち、４チャネルＣＷＤＭ型と呼ばれる光通信モジュールのブロック図である（非特許文献５参照）。なお図４８において、０３１は４個の光電気変換器、０３２は４個の信号再生回路、０３３は４個の電気光変換器、０３４は信号フォーマット変換回路、０３５は信号フォーマット変換回路、０３６はＷＤＭ分波器、０３７はＷＤＭ合波器である。
【０００９】
この光通信モジュールも図４７の光通信モジュールと同様に複数の光電気変換器から入力された信号を一括して処理を行なうため、図４６のように複数の光信号を独立に処理できるわけではない。したがって、多数の光信号を処理する通信装置の小型化は困難である。
【００１０】
以上に説明したように、多数の光信号を処理する通信装置の小型化を実現するためには図４６の光通信モジュールと同様な光通信モジュールが最適であると考えられるが、そのような光通信モジュールを光アッド／ドロップ装置に適用した場合の装置のブロック図は図４９〜図５１のようになる。
【００１１】
図４９は光スイッチを用いた一般的な光アッド／ドロップ装置に図４６の光通信モジュールと同様な光通信モジュールを適用した場合の装置のブロック図である（特許文献１参照）。なお図４９において、０４１は光通信モジュール、０４２〜０４６は光スイッチ、０４７はＷＤＭ合波器、０４８はＷＤＭ分波器であり、Ｌは波長数、ＭはＬ以下である。
【００１２】
図５０は図４９の光スイッチを電気信号入出力のスイッチに変更した場合の光アッド／ドロップ装置のブロック図である。なお図５０において、０５１は光通信モジュール、０５２〜０５６は電気スイッチ、０５７はＷＤＭ合波器、０５８はＷＤＭ分波器であり、Ｌは波長数、ＭはＬ以下である。
【００１３】
図５１は図５０の電気スイッチ０５２〜０５６を１つの電気スイッチ０５９に統合した場合の光アッド／ドロップ装置のブロック図である。なお、Ｌは波長数、ＭはＬ以下であり、入力はＬ＋Ｍ、出力はＬ＋Ｍである。
【００１４】
いずれの場合も、光スイッチもしくは電気信号入出力のスイッチが必要であり、装置の小型化、低コスト化のためには、部品数の削減が望まれる。
【００１５】
【特許文献１】
特開２００２−２０８８９５
【非特許文献１】
“ＸＦＰ（１０  Ｇｉｇａｂｉｔ  Ｓｍａｌｌ  Ｆｏｒｍ  Ｆａｃｔｏｒ  Ｐｌｕｇｇａｂｌｅ  Ｍｏｄｕｌｅ）  Ｒｅｖｉｓｉｏｎ  ０．９２”ＸＦＰ  ＭＳＡ  Ｊｕｌｙ  １９，２００２
【非特許文献２】
“Ｓｅｒｉａｌ  ＯＣ−１９２      １３１０ｎｍ    Ｖｅｒｙ  Ｓｈｏｒｔ  Ｒｅａｃｈ  （ＶＳＲ）Ｉｎｔｅｒｆａｃｅ  ”Ｔｈｅ  Ｏｐｔｉｃａｌ  Ｉｎｔｅｒｎｅｔｗｏｒｋｉｎｇ  Ｆｏｒｕｍ  （ＯＩＦ），Ｎｏｖｅｍｂｅｒ  １６  ，２０００
【非特許文献３】
“Ｓｅｒｄｅｓ  Ｆｒａｍｅｒ  Ｉｎｔｅｒｆａｃｅ  Ｌｅｖｅｌ  ５  （ＳＦＩ−５）：Ｉｍｐｌｅｍｅｎｔａｔｉｏｎ  Ａｇｒｅｅｍｅｎｔ  ｆｏｒ  ４０Ｇｂ／ｓ  Ｉｎｔｅｒｆａｃｅ  ｆｏｒ  Ｐｈｙｓｉｃａｌ  Ｌａｙｅｒ  Ｄｅｖｉｃｅｓ”Ｔｈｅ  Ｏｐｔｉｃａｌ  Ｉｎｔｅｒｎｅｔｗｏｒｋｉｎｇ  Ｆｏｒｕｍ（ＯＩＦ），Ｊａｎｕａｒｙ  ２９，２００２
【非特許文献４】
“Ｖｅｒｙ  Ｓｈｏｒｔ  Ｒｅａｃｈ（ＶＳＲ）ＯＣ−１９２／ＳＴＭ−６４  Ｉｎｔｅｒｆａｃｅ  Ｂａｓｅｄ  ｏｎ  Ｐａｒａｌｌｅｌ  Ｏｐｔｉｃｓ  ”Ｔｈｅ  Ｏｐｔｉｃａｌ  Ｉｎｔｅｒｎｅｔｗｏｒｋｉｎｇ  Ｆｏｒｕｍ  （ＯＩＦ〉，Ｄｅｃｅｍｂｅｒ  １８  ，２０００
【非特許文献５】
“Ｖｅｒｙ  Ｓｈｏｒｔ  Ｒｅａｃｈ  Ｉｎｔｅｒｆａｃｅ  Ｌｅｖｅｌ  ５（ＶＳＲ−５）：ＳＯＮＥＴ／ＳＤＨ  ＯＣ−７６８  ｉｎｔｅｒｆａｃｅ  ｆｏｒ  Ｖｅｒｙ  Ｓｈｏｒｔ  Ｒｅａｃｈ（ＶＳＲ）ａｐｐｌｉｃａｔｉｏｎ  ”Ｔｈｅ  Ｏｐｔｉｃａｌ  Ｉｎｔｅｒｎｅｔｗｏｒｋｉｎｇ    Ｆｏｒｕｍ（ＯＩＦ），Ｓｅｐｔｅｍｂｅｒ  ２００２
【００１６】
【発明が解決しようとする課題】
従来技術による場合、以上に説明した様に、光アッド／ドロップ装置等の光通信装置の小型化及び低コスト化が困難であるという問題がある。
【００１７】
本発明は光アッド／ドロップ装置等の光通信装置をより少ない部品数で実現可能とすることにより通信装置の小型化を容易にするとともに、同一のモジュール部品をさまざまな通信装置に適用可能とすることにより通信装置の低コスト化も実現可能とするための光通信モジュール及び光アッド／ドロップ装置を提供することを主な目的とする。
【００１８】
【課題を解決するための手段】
上記課題を解決する本発明の請求項１に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつスイッチと、スイッチの出力が入力されるｎ個の電気光変換器と、制御信号入力用ポートからの信号が入力されスイッチの２ｎ個の入力のうちの任意のｎ個の入力を電気光変換器に供給するための制御を行なう制御回路と、信号再生回路の出力が入力されるｎ個の第２の信号フォーマット変換回路を備え、電気光変換器の光出力と第２の信号フォーマット変換回路の出力をそれぞれ光信号出力ポートと電気信号出力ポートから出力することを特徴とする。
【００１９】
上記発明の光通信モジュールでは、光アッド／ドロップ装置に必要なスイッチ機能を第１の信号フォーマット変換回路と電気光変換器の間に挿入することにより、光アッド／ドロップ装置の小型化を実現可能としている。また、この光通信モジュールはモジュール内部のスイッチの方路をモジュール外部より切り替えることが可能であるため、光アッド／ドロップ装置以外の光通信装置にも従来の光通信モジュールと同様に適用でき、同一のモジュールを多種の光通信装置に適用することによるモジュールの生産性の向上（同一モジュールの多量生産）及びそれに伴うモジュール生産コストの低減、光通信装置の開発・生産コストの低減が可能となる。
【００２０】
なお、前記の第１及び第２の信号フォーマット変換回路は、光通信モジュールの電気信号入力ポートと電気信号出力ポートにおける電気信号のフォーマットを、従来の光通信モジュールの電気信号フォーマットと互換にするとともに、必要に応じて、モジュール内部の信号フォーマットを変更するための回路である。
【００２１】
また、前記の信号再生回路は、従来の光通信モジュールで一般に使用されている、Ｃｌｏｃｋ  ｄａｔａ  ｒｅｃｏｖｅｒｙ  回路と言われる回路と同等の回路である。
【００２２】
上記課題を解決する本発明の請求項２に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつスイッチと、スイッチの出力が入力されるｎ個の電気光変換器と、信号再生回路の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力のうちの任意のｎ個の入力を電気光変換器に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００２３】
上記発明の光通信モジュールは、請求項１の光通信モジュールと同様の効果が有る他に、信号出力停止回路により、使用しない電気信号出力ポートからの出力を停止する（例えば、出力信号の電圧を０Ｖ一定に保つ）ことが可能となる。請求項１の光通信モジュールを光アッド／ドロップ装置に適用した場合、電気信号出力ポートから出力する必要が無い信号も出力してしまい、その信号により光通信装置内で発生する電磁ノイズが問題となる可能性がある。信号出力停止回路により出力する必要が無い電気信号出力ポートからの出力を停止することにより、光通信装置内で発生する電磁ノイズを低減することが可能となる。
なお、信号フォーマット変換回路及び信号再生回路については請求項１の光通信モジュールと同様である。
【００２４】
上記課題を解決する本発明の請求項３に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつスイッチと、スイッチの出力が入力されるｎ個のパラレルシリアル変換回路と、パラレルシリアル変換回路の出力が入力されるｎ個の電気光変換器と、制御信号入力用ポートからの信号が入力されスイッチの２ｎ個の入力のうちの任意のｎ個の入力を電気光変換器に供給するための制御を行なう制御回路と、シリアルパラレル変換回路の出力が入力されるｎ個の第２の信号フォーマット変換回路を備え、電気光変換器の光出力と第２の信号フォーマット変換回路の出力をそれぞれ光信号出力ポートと電気信号出力ポートから出力することを特徴とする。
【００２５】
上記発明の光通信モジュールは、請求項１の光通信モジュールと同様の効果が有る他に、シリアルパラレル変換回路とパラレルシリアル変換回路の搭載により、光通信モジュール内部の電気信号の配線が容易になるという効果がある。
なお、信号フォーマット変換回路及び信号再生回路については請求項１の光通信モジュールと同様である。
【００２６】
上記課題を解決する本発明の請求項４に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつスイッチと、スイッチの出力が入力されるｎ個のパラレルシリアル変換回路と、パラレルシリアル変換回路の出力が入力されるｎ個の電気光変換器と、シリアルパラレル変換回路の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力のうちの任意のｎ個の入力を電気光変換器に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００２７】
上記発明の光通信モジュールは、請求項２の光通信モジュールと同様の効果が有る他に、シリアルパラレル変換回路とパラレルシリアル変換回路の搭載により、光通信モジュール内部の電気信号の配線が容易になるという効果がある。
なお、信号フォーマット変換回路及び信号再生回路については請求項１の光通信モジュールと同様である。
【００２８】
上記課題を解決する本発明の請求項５に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、信号再生回路の出力が入力されるｎ個の第２の信号フォーマット変換回路と、ｎ個の第２の信号フォーマット変換回路の出力が入力されｎ個の出力をもつ第２のスイッチと、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２のスイッチの出力をそれぞれ光信号出力ポートと電気信号出力ポートから出力することを特徴とする。
【００２９】
上記発明の光通信モジュールは、請求項１の光通信モジュールと同様の効果が有る。さらに、請求項１の光通信モジュールを光アッド／ドロップ装置に適用し、それぞれｍ（ｍは１以上ｎ以下の整数）個の光信号入力ポートと光信号出力ポートを使用する場合、電気信号出力ポートをｍ個使用する必要があるが、上記の光通信モジュールでは第２のスイッチの方路を切り替えることにより、電気信号出力ポートの使用数を少なくすることができる。
【００３０】
具体的には、ｍ個の光信号入力ポートより入力された信号の内、ｋ（ｋは１以上ｍ未満の整数）個の信号を電気信号出力ポートより出力し、残りの“ｍ−ｋ”個の信号を光信号出力ポートより出力する場合、ｍ個の光入力ポートより入力された信号の内の任意のｋ個の信号を特定のｋ個の電気信号出力ポートから出力することができる。
【００３１】
電気信号出力ポートの使用数が少なくなることにより、光アッド／ドロップ装置内の電気配線が容易になるという効果がある。
なお、信号フォーマット変換回路及び信号再生回路については請求項１の光通信モジュールと同様である。
【００３２】
上記課題を解決する本発明の請求項６に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、信号再生回路の出力が入力されるｎ個の第２の信号フォーマット変換回路と、ｎ個の第２の信号フォーマット変換回路の出力が入力されｎ個の出力をもつ第２のスイッチと、第２のスイッチの出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００３３】
上記発明の光通信モジュールは、請求項５の光通信モジュールと同様の効果が有る他に、信号出力停止回路により、使用しない電気信号出力ポートからの出力を停止する（例えば、出力信号の電圧を０Ｖ一定に保つ）ことが可能となる。請求項５の光通信モジュールを光アッド／ドロップ装置に適用した場合、電気信号出力ポートから出力する必要が無い信号も出力してしまい、その信号により光通信装置内で発生する電磁ノイズが問題となる可能性がある。信号出力停止回路により出力する必要が無い電気信号出力ポートからの出力を停止することにより、光通信装置内で発生する電磁ノイズを低減することが可能となる。
なお、信号フォーマット変換回路及び信号再生回路については請求項１の光通信モジュールと同様である。
【００３４】
上記課題を解決する本発明の請求項７に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、シリアルパラレル変換回路の出力が入力されるｎ個の第２の信号フォーマット変換回路と、ｎ個の第２の信号フォーマット変換回路の出力が入力されｎ個の出力をもつ第２のスイッチと、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２のスイッチの出力をそれぞれ光信号出力ポートと電気信号出力ポートから出力することを特徴とする。
【００３５】
上記発明の光通信モジュールは、請求項５の光通信モジュールと同様の効果が有る他に、シリアルパラレル変換回路とパラレルシリアル変換回路の搭載により、光通信モジュール内部の電気信号の配線が容易になるという効果がある。
なお、信号フォーマット変換回路及び信号再生回路については請求項１の光通信モジュールと同様である。
【００３６】
上記課題を解決する本発明の請求項８に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、シリアルパラレル変換回路の出力が入力されるｎ個の第２の信号フォーマット変換回路と、ｎ個の第２の信号フォーマット変換回路の出力が入力されｎ個の出力をもつ第２のスイッチと、第２のスイッチの出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００３７】
上記発明の光通信モジュールは、請求項６の光通信モジュールと同様の効果が有る他に、シリアルパラレル変換回路とパラレルシリアル変換回路の搭載により、光通信モジュール内部の電気信号の配線が容易になるという効果がある。
なお、信号フォーマット変換回路及び信号再生回路については請求項１の光通信モジュールと同様である。
【００３８】
上記課題を解決する本発明の請求項９に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、ｎ個の信号再生回路の出力が入力されｎ個の出力をもつ第２のスイッチと、第２のスイッチの出力が入力されるｎ個の第２の信号フォーマット変換回路と、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２の信号フォーマット変換回路の出力をそれぞれ光信号出力ポートと電気信号出力ポートから出力することを特徴とする。
【００３９】
上記発明の光通信モジュールは、請求項５の光通信モジュールと同様の効果が有る。
なお、信号フォーマット変換回路及び信号再生回路については請求項１の光通信モジュールと同様である。
【００４０】
上記課題を解決する本発明の請求項１０に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の出力をもつ第１のスイッチと、第１のスイッチの出力が入力されるｎ個の電気光変換器と、ｎ個の信号再生回路の出力が入力されｎ個の出力をもつ第２のスイッチと、第２のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００４１】
上記発明の光通信モジュールは、請求項６の光通信モジュールと同様の効果が有る。
なお、信号フォーマット変換回路及び信号再生回路については請求項１の光通信モジュールと同様である。
【００４２】
上記課題を解決する本発明の請求項１１に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２のスイッチと、第２のスイッチの出力が入力されるｎ個の第２の信号フォーマット変換回路と、制御信号入力用ポートからの信号が入力され第１のスイッチの２ｎ個の入力のうちの任意のｎ個の入力を電気光変換器に供給するための制御を行なうとともに第２のスイッチの方路切り替えを行なう制御回路を備え、電気光変換器の光出力と第２の信号フォーマット変換回路の出力をそれぞれ光信号出力ポートと電気信号出力ポートから出力することを特徴とする。
【００４３】
上記発明の光通信モジュールは、請求項７の光通信モジュールと同様の効果が有る。
なお、信号フォーマット変換回路及び信号再生回路については請求項１の光通信モジュールと同様である。
【００４４】
上記課題を解決する本発明の請求項１２に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の出力をもつ第１のスイッチと、第１のスイッチの出力が入力されるｎ個のパラレルシリアル変換回路と、パラレルシリアル変換回路の出力が入力されるｎ個の電気光変換器と、ｎ個のシリアルパラレル変換回路の出力が入力されｎ個の出力をもつ第２のスイッチと、第２のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第１のスイッチの２ｎ個の入力のうちの任意のｎ個の入力を電気光変換器に供給するための制御と第２のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００４５】
上記発明の光通信モジュールは、請求項８の光通信モジュールと同様の効果が有る。
なお、信号フォーマット変換回路及び信号再生回路については請求項１の光通信モジュールと同様である。
【００４６】
上記課題を解決する本発明の請求項１３に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個の電気光変換器と、第１のスイッチの出力が入力されるｎ個の第２の信号フォーマット変換回路と、制御信号入力用ポートからの信号が入力され第２のスイッチの２ｎ個の入力のうちの任意のｎ個の入力を電気光変換器に供給するための制御を行なうとともに第１のスイッチの方路切り替えを行なう制御回路を備え、電気光変換器の光出力と第２の信号フォーマット変換回路の出力をそれぞれ光信号出力ポートと電気信号出力ポートから出力することを特徴とする。
【００４７】
上記発明の光通信モジュールは、請求項５の光通信モジュールと同様の効果が有る。
なお、信号フォーマット変換回路及び信号再生回路については請求項１の光通信モジュールと同様である。
【００４８】
上記課題を解決する本発明の請求項１４に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個の電気光変換器と、第１のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第２のスイッチの２ｎ個の入力のうちの任意のｎ個の入力を電気光変換器に供給するための制御と第１のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００４９】
上記発明の光通信モジュールは、請求項６の光通信モジュールと同様の効果が有る。
なお、信号フォーマット変換回路及び信号再生回路については請求項１の光通信モジュールと同様である。
【００５０】
上記課題を解決する本発明の請求項１５に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個のパラレルシリアル変換回路と、パラレルシリアル変換回路の出力が入力されるｎ個の電気光変換器と、第１のスイッチの出力が入力されるｎ個の第２の信号フォーマット変換回路と、制御信号入力用ポートからの信号が入力され第２のスイッチの２ｎ個の入力のうちの任意のｎ個の入力を電気光変換器に供給するための制御を行なうとともに第１のスイッチの方路切り替えを行なう制御回路を備え、電気光変換器の光出力と第２の信号フォーマット変換回路の出力をそれぞれ光信号出力ポートと電気信号出力ポートから出力することを特徴とする。
【００５１】
上記発明の光通信モジュールは、請求項７の光通信モジュールと同様の効果が有る。
なお、信号フォーマット変換回路及び信号再生回路については請求項１の光通信モジュールと同様である。
【００５２】
上記課題を解決する本発明の請求項１６に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されｎ個の出力をもつ第１のスイッチと、第１のスイッチのｎ個の出力が入力されるとともにｎ個の第１の信号フォーマット変換回路の出力が入力されｎ個の出力をもつ第２のスイッチと、第２のスイッチの出力が入力されるｎ個のパラレルシリアル変換回路と、パラレルシリアル変換回路の出力が入力されるｎ個の電気光変換器と、第１のスイッチの出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力され第２のスイッチの２ｎ個の入力のうちの任意のｎ個の入力を電気光変換器に供給するための制御と第１のスイッチの方路切り替えを行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００５３】
上記発明の光通信モジュールは、請求項８の光通信モジュールと同様の効果が有る。
なお、信号フォーマット変換回路及び信号再生回路については請求項１の光通信モジュールと同様である。
【００５４】
上記課題を解決する本発明の請求項１７に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の第１の出力とｎ個の第２の出力をもつスイッチと、スイッチの第１の出力が入力されるｎ個の電気光変換器と、スイッチの第２の出力が入力されるｎ個の第２の信号フォーマット変換回路と、制御信号入力用ポートからの信号が入力されスイッチの２ｎ個の入力を任意の第１の出力もしくは第２の出力に供給するための制御を行なう制御回路を備え、電気光変換器の光出力と第２の信号フォーマット変換回路の出力をそれぞれ光信号出力ポートと電気信号出力ポートから出力することを特徴とする。
【００５５】
上記発明の光通信モジュールは、請求項５の光通信モジュールと同様の効果が有る。
なお、信号フォーマット変換回路及び信号再生回路については請求項１の光通信モジュールと同様である。
【００５６】
上記課題を解決する本発明の請求項１８に係る光通信モジュールは、ｎ（ｎは２以上の整数）、個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともにｎ個の第１の信号フォーマット変換回路の出力が入力されｎ個の第１の出力とｎ個の第２の出力をもつスイッチと、スイッチの第１の出力が入力されるｎ個の電気光変換器と、スイッチの第２の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力を任意の第１の出力もしくは第２の出力に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００５７】
上記発明の光通信モジュールは、請求項６の光通信モジュールと同様の効果が有る。
なお、信号フォーマット変換回路及び信号再生回路については請求項１の光通信モジュールと同様である。
【００５８】
上記課題を解決する本発明の請求項１９に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の第１の出力とｎ個の第２の出力をもつスイッチと、スイッチの第１の出力が入力されるｎ個のパラレルシリアル変換回路と、パラレルシリアル変換回路の出力が入力されるｎ個の電気光変換器と、スイッチの第２の出力が入力されるｎ個の第２の信号フォーマット変換回路と、制御信号入力用ポートからの信号が入力されスイッチの２ｎ個の入力を任意の第１の出力もしくは第２の出力に供給するための制御を行なう制御回路を備え、電気光変換器の光出力と第２の信号フォーマット変換回路の出力をそれぞれ光信号出力ポートと電気信号出力ポートから出力することを特徴とする。
【００５９】
上記発明の光通信モジュールは、請求項７の光通信モジュールと同様の効果が有る。
なお、信号フォーマット変換回路及び信号再生回路については請求項１の光通信モジュールと同様である。
【００６０】
上記課題を解決する本発明の請求項２０に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、電気信号入力ポートからの信号が入力されるｎ個の第１の信号フォーマット変換回路と、光信号入力ポートからの信号が入力されるｎ個の光電気変換器と、光電気変換器の出力が入力されるｎ個の信号再生回路と、信号再生回路の出力が入力されるｎ個のシリアルパラレル変換回路と、ｎ個のシリアルパラレル変換回路の出力が入力されるとともにｎ個の第１の信号フォーマット変換回路の出力が入力されｎ個の第１の出力とｎ個の第２の出力をもつスイッチと、スイッチの第１の出力が入力されるｎ個のパラレルシリアル変換回路と、パラレルシリアル変換回路の出力が入力されるｎ個の電気光変換器と、スイッチの第２の出力が入力されるｎ個の第２の信号フォーマット変換回路と、第２の信号フォーマット変換回路の出力が入力され入力信号をそのまま出力するかもしくは出力を停止するｎ個の信号出力停止回路と、制御信号入力用ポートからの信号が入力されスイッチの２ｎ個の入力を任意の第１の出力もしくは第２の出力に供給するための制御を行なうとともにｎ個の信号出力停止回路をそれぞれ独立に制御する制御回路を備え、電気光変換器の光出力と信号出力停止回路の出力をそれぞれ光信号出力ポートと電気信号出力ポートから出力することを特徴とする。
【００６１】
上記発明の光通信モジュールは、請求項８の光通信モジュールと同様の効果が有る。
なお、信号フォーマット変換回路及び信号再生回路については請求項１の光通信モジュールと同様である。
【００６２】
上記課題を解決する本発明の請求項２１に係る光通信モジュールは、ｎ（ｎは２以上の整数）個の光信号入力ポートと、ｎ個の光信号出力ポートと、ｎ個の電気信号入力ポートと、ｎ個の電気信号出力ポートと、制御信号入力用ポートと、ｎ個の電気信号入力ポートからの信号が入力されｎ個の出力をもつ第１の信号フォーマット変換回路と、光信号入力ポートからの信号が入力されるｎ個の光電気変換器と、光電気変換器の出力が入力されるｎ個の信号再生回路と、ｎ個の信号再生回路の出力が入力されるとともに第１の信号フォーマット変換回路のｎ個の出力が入力されｎ個の出力をもつスイッチと、スイッチの出力が入力されるｎ個の電気光変換器と、ｎ個の信号再生回路の出力が入力されｎ個の出力をもつ第２の信号フォーマット変換回路と、制御信号入力用ポートからの信号が入力されスイッチの２ｎ個の入力のうちの任意のｎ個の入力を電気光変換器に供給するための制御を行なうとともに第１の信号フォーマット変換回路と第２の信号フォーマット変換回路の変換形式を変更する制御回路を備え、電気光変換器の光出力と第２の信号フォーマット変換回路の出力をそれぞれ光信号出力ポートと電気信号出力ポートから出力することを特徴とする。
【００６３】
上記発明の光通信モジュールは、請求項１のｎ個の第１及び第２の信号フォーマット変換回路をそれぞれ一体化し、さらに、変換形式を変更する機能を追加したものであり、請求項１の光通信モジュールと同様の動作が可能である。
なお、信号再生回路については請求項１の光通信モジュールと同様である。
【００６４】
上記課題を解決する本発明の請求項２２〜４０に係る光通信モジュールは、請求項２〜請求項２０のｎ個の第１及び第２の信号フォーマット変換回路をそれぞれ一体化し、さらに、変換形式を変更する機能を追加したものである。
【００６５】
上記発明の光通信モジュールは、それぞれ、請求項２〜請求項２０の光通信モジュールと同様の動作が可能である。
【００６６】
上記課題を解決する本発明の請求項４１に係る光通信モジュールは、請求項１〜請求項２０の光通信モジュールにおいて、第１の信号フォーマット変換回路内にてパラレルシリアル変換を行なうとともに、第２の信号フォーマット変換回路内にてシリアルパラレル変換を行なうことを特徴とする。
【００６７】
上記発明の光通信モジュールは、それぞれ、請求項１〜請求項２０の光通信モジュールと同様の動作が可能である。
【００６８】
上記課題を解決する本発明の請求項４２に係る光通信モジュールは、請求項２１〜請求項４０の光通信モジュールにおいて、ｎ個の光信号入力ポートからの信号をそれぞれ独立に電気信号出力ポートもしくは光信号出力ポートに出力する第１の動作モードと、ｎ個の光信号入力ポートからの信号を一括して電気信号出力ポートもしくは光信号出力ポートに出力する第２の動作モードを有し、第１の動作モードでは、第１の信号フォーマット変換回路と第２の信号フォーマット変換回路はそれぞれｎ個の入力毎に独立動作し、第２の動作モードでは、第１の信号フォーマット変換回路と第２の信号フォーマット変換回路はそれぞれｎ個の入力を一括してフォーマット変換することを特徴とする。
【００６９】
上記発明の光通信モジュールは、上記第１の動作モードでは、それぞれ、請求項１〜請求項２０の光通信モジュールと同様の動作が可能である他に、上記第２の動作モードでは、ｎ個の光信号入力ポートから入力される信号をｎ並列の並列光信号として処理することが可能であるとともに、ｎ個の電気信号入力ポートから入力される信号をｎ並列の並列電気信号として処理することが可能である。
【００７０】
上記課題を解決する本発明の請求項４３に係る光通信モジュールは、請求項１〜請求項４２の光通信モジュールにおいて、ｎ個の電気光変換回路がそれぞれ異なる波長を有する光信号を出力することを特徴とする。
【００７１】
上記発明の光通信モジュールは、それぞれ、請求項１〜請求項４２の光通信モジュールと同様の動作が可能である他、光信号出力ポートからの出力信号を波長多重用の光マルチプレクサに直接入力することが可能である。
【００７２】
上記課題を解決する本発明の請求項４４に係る光通信モジュールは、請求項１〜請求項４３の光通信モジュールにおいて、電気光変換回路より出力する光信号の波長が可変であることを特徴とする。
【００７３】
上記発明の光通信モジュールは、それぞれ、請求項１〜請求項４３の光通信モジュールと同様の動作が可能である他、電気光変換回路より出力する光信号の波長多重を行なう際の光信号の波長を変更することが可能である。
【００７４】
上記課題を解決する本発明の請求項４５に係る光通信モジュールは、請求項４４の光通信モジュールにおいて、制御信号入力用ポートにより電気光変換回路より出力する光信号の波長を制御することを特徴とする。
【００７５】
上記発明の光通信モジュールは、請求項４４の光通信モジュールと同様の動作が可能である。
【００７６】
上記課題を解決する本発明の請求項４６に係る光アッド／ドロップ装置は、互いに異なる波長を有するｎ（ｎは２以上の整数）個の光信号を波長多重して得られたＷＤＭ信号光を供給されてｎ個の光信号に分離する光デマルチプレクサと、光デマルチプレクサのｎ個の出力が入力されるとともにｎ個の電気信号が入力されｎ個の光信号とｎ個の電気信号を出力する請求項４３〜４５の光通信モジュールと、光通信モジュールのｎ個の光信号出力が入力され入力されたｎ個の光信号を波長多重する光マルチプレクサを備えることを特徴とする。
【００７７】
上記発明の光アッド／ドロップ装置は、従来技術による光アッド／ドロップ装置と比較して必要となる部品数が少なくなるとともに、同一の光通信モジュールを多種の装置に使用することにより、小型化、低コスト化が可能である。
【００７８】
なお、光通信装置は、請求項１〜４５の光通信モジュールを光入出力のスイッチとして使用して光通信装置を構成することもできる。このように構成した光通信装置は、同一の光通信モジュールを多種の光通信装置に使用することにより、低コスト化が可能である。
【００７９】
また請求項４３〜４５の光通信モジュールを光信号の波長変換器として使用して光通信装置を構成することもできる。このようにした光通信装置は、同一の光通信モジュールを多種の光通信装置に使用することにより、低コスト化が可能である。
【００８０】
【発明の実施の形態】
以下、図面をもとに本発明の実施形態を説明する。なお、すべての図面において共通する部分には同一の番号を割り当て、重複説明を避ける。
【００８１】
（第１の実施の形態）
図１は、第１の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路１２と、スイッチ１３と、ｎ個の電気光変換器１４と、制御回路１５と、ｎ個の第２の信号フォーマット変換回路１６を有する。
【００８２】
第１の信号フォーマット変換回路１０は、電気信号入力ポート３から入力される電気信号のフォーマットを、必要に応じて、モジュール内部の信号フォーマットに変更して、スイッチ１３に対して出力する。
【００８３】
光電気変換器１１は、光信号入力ポート１から入力される光信号を電気信号に変換して、信号再生回路１２に対して出力する。
【００８４】
信号再生回路１２は、光通信モジュールで一般に使用されている、Ｃｌｏｃｋ  ｄａｔａ  ｒｅｃｏｖｅｒｙ  回路と言われる回路と同等の回路であり、光電気変換器１１から入力される信号をスイッチ１３等で処理可能な信号に再生して、スイッチ１３及び第２の信号フォーマット変換回路１６に対して出力する。
【００８５】
スイッチ１３は、ｎ個の信号再生回路１２の出力が入力されるとともにｎ個の第１の信号フォーマット変換回路１０の出力が入力され、制御回路１５からの制御信号に応じて２ｎ個の入力のうちの任意のｎ個の入力を電気光変換器１４に対して出力する。
【００８６】
電気光変換器１４は、スイッチ１３から入力される信号を光信号に変換して、光信号出力ポート２よりモジュール外部に出力する。
【００８７】
制御回路１５は、制御信号入力用ポート５から入力される信号に基づいて、スイッチ１３から出力する信号を選択するための制御信号をスイッチ１３に対して出力する。
【００８８】
第２の信号フォーマット変換回路１６は、信号再生回路１２から入力される信号のフォーマットを、必要に応じて変更し、電気信号出力ポート４よりモジュール外部に出力する。
【００８９】
本実施の形態の光通信モジュールは、光アッド／ドロップ装置に必要なスイッチ機能を第１の信号フォーマット変換回路１０と電気光変換器１４の間に挿入しているため、光アッド／ドロップ装置の小型化を実現可能としている。また、この光通信モジュールはモジュール内部のスイッチ１３の方路をモジュール外部より切り替えることが可能であるため、光アッド／ドロップ装置以外の光通信装置にも従来の光通信モジュールと同様に適用でき、同一のモジュールを多種の光通信装置に適用することによるモジュールの生産性の向上（同一モジュールの多量生産）及びそれに伴うモジュール生産コストの低減、光通信装置の開発・生産コストの低減が可能となる。
【００９０】
（第２の実施の形態）
図２は、第２の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路１２と、スイッチ１３と、ｎ個の電気光変換器１４と、制御回路２５と、ｎ個の第２の信号フォーマット変換回路２６と、ｎ個の信号出力停止回路２７を有する。
【００９１】
制御回路２５は、制御信号入力用ポート５から入力される信号に基づいて、スイッチ１３から出力する信号を選択するための制御信号をスイッチ１３に対して出力するとともに、信号出力停止回路２７に入力される信号をそのまま出力するかもしくは出力を停止するための制御信号をｎ個の信号出力停止回路２７に対してそれぞれ出力する。
【００９２】
第２の信号フォーマット変換回路２６は、信号再生回路１２から入力される信号のフォーマットを、必要に応じて変更し、信号出力停止回路２７に対して出力する。
【００９３】
信号出力停止回路２７は、第２の信号フォーマット変換回路２６の出力が入力され、制御回路２５からの制御信号に応じて入力信号をそのまま電気信号出力ポート４よりモジュール外部に出力するかもしくは出力を停止する（例えば、電気信号出力ポート４  から出力する信号の電圧を０Ｖ一定に保つ）。
【００９４】
本実施の形態の光通信モジュールは、第１の実施の形態の光通信モジュールと同様の効果が有る他に、信号出力停止回路２７により、使用しない電気信号出力ポート４からの出力を停止する（例えば、出力信号の電圧を０Ｖ一定に保つ）ことが可能となる。第１の実施の形態の光通信モジュールを光アッド／ドロップ装置に適用した場合、電気信号出力ポート４から出力する必要が無い信号も出力してしまい、その信号により光通信装置内で発生する電磁ノイズが問題となる可能性がある。信号出力停止回路２７により出力する必要が無い電気信号出力ポートからの出力を停止することにより、光通信装置内で発生する電磁ノイズを低減することが可能となる。
【００９５】
（第３の実施の形態）
図３は、第３の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路３２と、スイッチ３３と、ｎ個の電気光変換器３４と、制御回路１５と、ｎ個の第２の信号フォーマット変換回路３６と、ｎ個のシリアルパラレル変換回路３８と、ｎ個のパラレルシリアル変換回路３９を有する。
【００９６】
信号再生回路３２は、光通信モジュールで一般に使用されている、Ｃｌｏｃｋ  ｄａｔａ  ｒｅｃｏｖｅｒｙ  回路と言われる回路と同等の回路であり、光電気変換器１１から入力される信号をシリアルパラレル変換回路３８で処理可能な信号に再生して、シリアルパラレル変換回路３８に対して出力する。
【００９７】
スイッチ３３は、ｎ個のシリアルパラレル変換回路３８の出力が入力されるとともにｎ個の第１の信号フォーマット変換回路１０の出力が入力され、制御回路１５からの制御信号に応じて２ｎ個の入力のうちの任意のｎ個の入力をパラレルシリアル変換回路３９に対して出力する。
【００９８】
電気光変換器３４は、パラレルシリアル変換回路３９から入力される信号を光信号に変換して、光信号出力ポート２よりモジュール外部に出力する。
【００９９】
第２の信号フォーマット変換回路３６は、シリアルパラレル変換回路３８から入力される信号のフォーマットを、必要に応じて変更し、電気信号出力ポート４よりモジュール外部に出力する。
【０１００】
シリアルパラレル変換回路３８は、信号再生回路３２から入力されるシリアル信号をパラレル（並列）信号に変換して、スイッチ３３と第２の信号フォーマット変換回路３６に対して出力する。
【０１０１】
パラレルシリアル変換回路３９は、スイッチ３３から入力されるパラレル（並列）信号をシリアル信号に変換して、電気光変換器３４に対して出力する。
【０１０２】
本実施の形態の光通信モジュールは、第１の実施の形態の光通信モジュールと同様の効果が有る他に、シリアルパラレル変換回路３８とパラレルシリアル変換回路３９の搭載により、光通信モジュール内部の電気信号の配線が容易になるという効果がある。
【０１０３】
（第４の実施の形態）
図４は、第４の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路３２と、スイッチ３３と、ｎ個の電気光変換器３４と、制御回路２５と、ｎ個の第２の信号フォーマット変換回路４６と、ｎ個の信号出力停止回路２７と、ｎ個のシリアルパラレル変換回路３８と、ｎ個のパラレルシリアル変換回路３９を有する。
【０１０４】
第２の信号フォーマット変換回路４６は、シリアルパラレル変換回路３８から入力される信号のフォーマットを、必要に応じて変更し、信号出力停止回路２７に対して出力する。
【０１０５】
本実施の形態の光通信モジュールは、第２の実施の形態の光通信モジュールと同様の効果が有る他に、シリアルパラレル変換回路３８とパラレルシリアル変換回路３９の搭載により、光通信モジュール内部の電気信号の配線が容易になるという効果がある。
【０１０６】
（第５の実施の形態）
図５は、第５の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路５２と、第１のスイッチ５３ａと、ｎ個の電気光変換器５４と、制御回路５５と、ｎ個の第２の信号フォーマット変換回路５６と、第２のスイッチ５３ｂを有する。
【０１０７】
第１の信号フォーマット変換回路５０は、電気信号入力ポート３から入力される電気信号のフォーマットを、必要に応じて、モジュール内部の信号フォーマットに変更して、第１のスイッチ５３ａに対して出力する。
【０１０８】
信号再生回路５２は、光通信モジュールで一般に使用されている、Ｃｌｏｃｋ  ｄａｔａ  ｒｅｃｏｖｅｒｙ  回路と言われる回路と同等の回路であり、光電気変換器１１から入力される信号を第１のスイッチ５３ａ等で処理可能な信号に再生して、第１のスイッチ５３ａ及び第２の信号フォーマット変換回路５６に対して出力する。
【０１０９】
第１のスイッチ５３ａは、ｎ個の信号再生回路５２の出力が入力されるとともにｎ個の第１の信号フォーマット変換回路５０の出力が入力され、制御回路５５からの制御信号に応じて２ｎ個の入力のうちの任意のｎ個の入力を電気光変換器５４に対して出力する。
【０１１０】
電気光変換器５４は、第１のスイッチ５３ａから入力される信号を光信号に変換して、光信号出力ポート２よりモジュール外部に出力する。
【０１１１】
制御回路５５は、制御信号入力用ポート５から入力される信号に基づいて、第１のスイッチ５３ａから出力する信号を選択するための制御信号を第１のスイッチ５３ａに対して出力するとともに、第２のスイッチ５３ｂの方路切り替えを行なうための制御信号を第２のスイッチ５３ｂに対して出力する。
【０１１２】
第２の信号フォーマット変換回路５６は、信号再生回路５２から入力される信号のフォーマットを、必要に応じて変更し、第２のスイッチ５３ｂに対して出力する。
【０１１３】
第２のスイッチ５３ｂは、ｎ個の第２の信号フォーマット変換回路５６の出力が入力され、制御回路５５からの制御信号に応じて方路を切り替えることにより、ｎ個の入力信号をｎ個の電気信号出力ポート４の内の任意のポートよりモジュール外部に出力する。
【０１１４】
本実施の形態の光通信モジュールは、第１の実施の形態の光通信モジュールと同様の効果が有る。さらに、第１の実施の形態の光通信モジュールを光アッド／ドロップ装置に適用し、それぞれｍ（ｍは１以上ｎ以下の整数）個の光信号入力ポート１と光信号出力ポート２を使用する場合、電気信号出力ポート４をｍ個使用する必要があるが、本実施の形態の光通信モジュールでは第２のスイッチ５３ｂの方路を切り替えることにより、電気信号出力ポート４の使用数を少なくすることができる。
【０１１５】
具体的には、ｍ個の光信号入力ポート１より入力された信号の内、ｋ（ｋは１以上ｍ未満の整数）個の信号を電気信号出力ポート４より出力し、残りの“ｍ−ｋ”個の信号を光信号出力ポート２より出力する場合、ｍ個の光入力ポート１より入力された信号の内の任意のｋ個の信号を特定のｋ個の電気信号出力ポート４から出力することができる。
【０１１６】
電気信号出力ポート４の使用数が少なくなることにより、光アッド／ドロップ装置内の電気配線が容易になるという効果がある。
【０１１７】
（第６の実施の形態）
図６は、第６の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路５２と、第１のスイッチ５３ａと、ｎ個の電気光変換器５４と、制御回路６５と、ｎ個の第２の信号フォーマット変換回路５６と、第２のスイッチ６３と、ｎ個の信号出力停止回路６７を有する。
【０１１８】
制御回路６５は、制御信号入力用ポート５から入力される信号に基づいて、第１のスイッチ５３ａから出力する信号を選択するための制御信号を第１のスイッチ５３ａに対して出力し、第２のスイッチ６３の方路切り替えを行なうための制御信号を第２のスイッチ６３に対して出力するとともに、信号出力停止回路６７に入力される信号をそのまま出力するかもしくは出力を停止するための制御信号をｎ個の信号出力停止回路６７に対してそれぞれ出力する。
【０１１９】
第２のスイッチ６３は、ｎ個の第２の信号フォーマット変換回路５６の出力が入力され、制御回路６５からの制御信号に応じて方路を切り替えることにより、ｎ個の入力信号をｎ個の信号出力停止回路６７の内の任意の回路に対して出力する。
【０１２０】
信号出力停止回路６７は、第２のスイッチ６３の出力が入力され、制御回路６５からの制御信号に応じて入力信号をそのまま電気信号出力ポート４よりモジュール外部に出力するかもしくは出力を停止する（例えば、電気信号出力ポート４から出力する信号の電圧を０Ｖ一定に保つ）。
【０１２１】
本実施の形態の光通信モジュールは、第５の実施の形態の光通信モジュールと同様の効果が有る他に、信号出力停止回路６７により、使用しない電気信号出力ポート４からの出力を停止する（例えば、出力信号の電圧を０Ｖ一定に保つ）ことが可能となる。第５の実施の形態の光通信モジュールを光アッド／ドロップ装置に適用した場合、電気信号出力ポート４から出力する必要が無い信号も出力してしまい、その信号により光通信装置内で発生する電磁ノイズが問題となる可能性がある。信号出力停止回路６７により出力する必要が無い電気信号出力ポートからの出力を停止することにより、光通信装置内で発生する電磁ノイズを低減することが可能となる。
【０１２２】
（第７の実施の形態）
図７は、第７の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路３２と、第１のスイッチ７３と、ｎ個の電気光変換器３４と、制御回路５５と、ｎ個の第２の信号フォーマット変換回路７６と、第２のスイッチ５３ｂと、ｎ個のシリアルパラレル変換回路７８と、ｎ個のパラレルシリアル変換回路７９を有する。
【０１２３】
第１のスイッチ７３は、ｎ個のシリアルパラレル変換回路７８の出力が入力されるとともにｎ個の第１の信号フォーマット変換回路５０の出力が入力され、制御回路５５からの制御信号に応じて２ｎ個の入力のうちの任意のｎ個の入力をパラレルシリアル変換回路７９に対して出力する。
【０１２４】
第２の信号フォーマット変換回路７６は、シリアルパラレル変換回路７８から入力される信号のフォーマットを、必要に応じて変更し、第２のスイッチ５３ｂに対して出力する。
【０１２５】
シリアルパラレル変換回路７８は、信号再生回路３２から入力されるシリアル信号をパラレル（並列）信号に変換して、第１のスイッチ７３と第２の信号フォーマット変換回路７６に対して出力する。
【０１２６】
パラレルシリアル変換回路７９は、第１のスイッチ７３から入力されるパラレル（並列〉信号をシリアル信号に変換して、電気光変換器３４に対して出力する。
【０１２７】
本実施の形態の光通信モジュールは、第５の実施の形態の光通信モジュールと同様の効果が有る他に、シリアルパラレル変換回路７８とパラレルシリアル変換回路７９の搭載により、光通信モジュール内部の電気信号の配線が容易になるという効果がある。
【０１２８】
（第８の実施の形態）
図８は、第８の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路３２と、第１のスイッチ７３と、ｎ個の電気光変換器３４と、制御回路６５と、ｎ個の第２の信号フォーマット変換回路７６と、第２のスイッチ６３と、ｎ個のシリアルパラレル変換回路７８と、ｎ個のパラレルシリアル変換回路７９と、ｎ個の信号出力停止回路６７を有する。
【０１２９】
本実施の形態の光通信モジュールは、第６の実施の形態の光通信モジュールと同様の効果が有る他に、シリアルパラレル変換回路７８とパラレルシリアル変換回路７９の搭載により、光通信モジュール内部の電気信号の配線が容易になるという効果がある。
【０１３０】
（第９の実施の形態）
図９は、第９の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路９２と、第１のスイッチ５３ａと、ｎ個の電気光変換器５４と、制御回路９５と、ｎ個の第２の信号フォーマット変換回路９６と、第２のスイッチ９３を有する。
【０１３１】
信号再生回路９２は、光通信モジュールで一般に使用されている、Ｃｌｏｃｋ  ｄａｔａ  ｒｅｃｏｖｅｒｙ  回路と言われる回路と同等の回路であり、光電気変換器１１から入力される信号を第１のスイッチ５３ａ等で処理可能な信号に再生して、第１のスイッチ５３ａ及び第２のスイッチ９３に対して出力する。
【０１３２】
制御回路９５は、制御信号入力用ポート５から入力される信号に基づいて、第１のスイッチ５３ａから出力する信号を選択するための制御信号を第１のスイッチ５３ａに対して出力するとともに、第２のスイッチ９３の方路切り替えを行なうための制御信号を第２のスイッチ９３に対して出力する。
【０１３３】
第２のスイッチ９３は、ｎ個の信号再生回路９２の出力が入力され、制御回路９５からの制御信号に応じて方路を切り替えることにより、ｎ個の入力信号をｎ個の第２の信号フォーマット変換回路９６の内の任意の回路に対して出力する。
【０１３４】
第２の信号フォーマット変換回路９６は、第２のスイッチ９３から入力される信号のフォーマットを、必要に応じて変更して、電気信号出力ポート４よりモジュール外部に出力する。
【０１３５】
本実施の形態の光通信モジュールは、第５の実施の形態の光通信モジュールと同様の効果が有る。
【０１３６】
（第１０の実施の形態）
図１０は、第１０の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路９２と、第１のスイッチ５３ａと、ｎ個の電気光変換器５４と、制御回路１０５と、ｎ個の第２の信号フォーマット変換回路１０６と、第２のスイッチ９３と、ｎ個の信号出力停止回路２７を有する。
【０１３７】
制御回路１０５は、制御信号入力用ポート５から入力される信号に基づいて、第１のスイッチ５３ａから出力する信号を選択するための制御信号を第１のスイッチ５３ａに対して出力し、第２のスイッチ９３の方路切り替えを行なうための制御信号を第２のスイッチ９３に対して出力するとともに、信号出力停止回路２７に入力される信号をそのまま出力するかもしくは出力を停止するための制御信号をｎ個の信号出力停止回路２７に対してそれぞれ出力する。
【０１３８】
第２の信号フォーマット変換回路１０６は、第２のスイッチ９３から入力される信号のフォーマットを、必要に応じて変更し、信号出力停止回路２７に対して出力する。
【０１３９】
本実施の形態の光通信モジュールは、第６の実施の形態の光通信モジュールと同様の効果が有る。
【０１４０】
（第１１の実施の形態）
図１１は、第１１の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路３２と、第１のスイッチ７３と、ｎ個の電気光変換器３４と、制御回路９５と、ｎ個の第２の信号フォーマット変換回路９６と、第２のスイッチ１１３と、ｎ個のシリアルパラレル変換回路１１８と、ｎ個のパラレルシリアル変換回路７９を有する。
【０１４１】
シリアルパラレル変換回路１１８は、信号再生回路３２から入力されるシリアル信号をパラレル（並列）信号に変換して、第１のスイッチ７３と第２のスイッチ１１３に対して出力する。
【０１４２】
第２のスイッチ１１３は、ｎ個のシリアルパラレル変換回路１１８の出力が入力され、制御回路９５からの制御信号に応じて方路を切り替えることにより、ｎ個の入力信号をｎ個の第２の信号フォーマット変換回路９６の内の任意の回路に対して出力する。
【０１４３】
本実施の形態の光通信モジュールは、第７の実施の形態の光通信モジュールと同様の効果が有る。
【０１４４】
（第１２の実施の形態）
図１２は、第１２の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路３２と、第１のスイッチ７３と、ｎ個の電気光変換器３４と、制御回路１０５と、ｎ個の第２の信号フォーマット変換回路１０６と、第２のスイッチ１１３と、ｎ個のシリアルパラレル変換回路１１８と、ｎ個のパラレルシリアル変換回路７９と、ｎ個の信号出力停止回路２７を有する。
【０１４５】
本実施の形態の光通信モジュールは、第８の実施の形態の光通信モジュールと同様の効果が有る。
【０１４６】
（第１３の実施の形態）
図１３は、第１３の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路１３２と、第１のスイッチ１３３ａと、ｎ個の電気光変換器５４と、制御回路１３５と、ｎ個の第２の信号フォーマット変換回路１３６と、第２のスイッチ１３３ｂを有する。
【０１４７】
信号再生回路１３２は、光通信モジュールで一般に使用されている、ｃｌｏｃｋ  ｄａｔａ  ｒｅｃｏｖｅｒｙ  回路と言われる回路と同等の回路であり、光電気変換器１１から入力される信号を第２のスイッチ１３３ｂで処理可能な信号に再生して、第２のスイッチ１３３ｂに対して出力する。
【０１４８】
第２のスイッチ１３３ｂは、ｎ個の信号再生回路１３２の出力が入力され、制御回路１３５からの制御信号に応じて方路を切り替えることにより、ｎ個の入力信号をｎ個の第２の信号フォーマット変換回路１３６の内の任意の回路に対して出力するとともに、第１のスイッチ１３３ａに対して出力する。
【０１４９】
第１のスイッチ１３３ａは、第２のスイッチ１３３ｂの出力が入力されるとともにｎ個の第１の信号フォーマット変換回路５０の出力が入力され、制御回路１３５からの制御信号に応じて２ｎ個の入力のうちの任意のｎ個の入力を電気光変換器５４に対して出力する。
【０１５０】
制御回路１３５は、制御信号入力用ポート５から入力される信号に基づいて、第１のスイッチ１３３ａから出力する信号を選択するための制御信号を第１のスイッチ１３３ａに対して出力するとともに、第２のスイッチ１３３ｂの方路切り替えを行なうための制御信号を第２のスイッチ１３３ｂに対して出力する。
【０１５１】
第２の信号フォーマット変換回路１３６は、第２のスイッチ１３３ｂから入力される信号のフォーマットを、必要に応じて変更して、電気信号出力ポート４よりモジュール外部に出力する。
【０１５２】
本実施の形態の光通信モジュールは、第５の実施の形態の光通信モジュールと同様の効果が有る。
【０１５３】
（第１４の実施の形態）
図１４は、第１４の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路１３２と、第１のスイッチ１３３ａと、ｎ個の電気光変換器５４と、制御回路１４５と、ｎ個の第２の信号フォーマット変換回路１４６と、第２のスイッチ１３３ｂと、ｎ個の信号出力停止回路２７を有する。
【０１５４】
制御回路１４５は、制御信号入力用ポート５から入力される信号に基づいて、第１のスイッチ１３３ａから出力する信号を選択するための制御信号を第１のスイッチ１３３ａに対して出力し、第２のスイッチ１３３ｂの方路切り替えを行なうための制御信号を第２のスイッチ１３３ｂに対して出力するとともに、信号出力停止回路２７に入力される信号をそのまま出力するかもしくは出力を停止するための制御信号をｎ個の信号出力停止回路２７に対してそれぞれ出力する。
【０１５５】
第２の信号フォーマット変換回路１４６は、第２のスイッチ１３３ｂから入力される信号のフォーマットを、必要に応じて変更し、信号出力停止回路２７に対して出力する。
【０１５６】
本実施の形態の光通信モジュールは、第６の実施の形態の光通信モジュールと同様の効果が有る。
【０１５７】
（第１５の実施の形態）
図１５は、第１５の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路３２と、第１のスイッチ１５３ａと、ｎ個の電気光変換器３４と、制御回路１３５と、ｎ個の第２の信号フォーマット変換回路１３６と、第２のスイッチ１５３ｂと、ｎ個のシリアルパラレル変換回路１５８と、ｎ個のパラレルシリアル変換回路７９を有する。
【０１５８】
シリアルパラレル変換回路１５８は、信号再生回路３２から入力されるシリアル信号をパラレル（並列〉信号に変換して、第２のスイッチ１５３ｂに対して出力する。
【０１５９】
第２のスイッチ１５３ｂは、ｎ個のシリアルパラレル変換回路１５８の出力が入力され、制御回路１３５からの制御信号に応じて方路を切り替えることにより、ｎ個の入力信号をｎ個の第２の信号フォーマット変換回路１３６の内の任意の回路に対して出力するとともに、第１のスイッチ１５３ａに対して出力する。
【０１６０】
第１のスイッチ１５３ａは、第２のスイッチ１５３ｂの出力が入力されるとともにｎ個の第１の信号フォーマット変換回路５０の出力が入力され、制御回路１３５からの制御信号に応じて２ｎ個の入力のうちの任意のｎ個の入力をパラレルシリアル変換回路７９に対して出力する。
【０１６１】
本実施の形態の光通信モジュールは、第７の実施の形態の光通信モジュールと同様の効果が有る。
【０１６２】
（第１６の実施の形態）
図１６は、第１６の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路５０と、ｎ個の光電気変換器１１と、ｎ個の信号再生回路３２と、第１のスイッチ１５３ａと、ｎ個の電気光変換器３４と、制御回路１４５と、ｎ個の第２の信号フォーマット変換回路１４６と、第２のスイッチ１５３ｂと、ｎ個のシリアルパラレル変換回路１５８と、ｎ個のパラレルシリアル変換回路７９と、ｎ個の信号出力停止回路２７を有する。
【０１６３】
本実施の形態の光通信モジュールは、第８の実施の形態の光通信モジュールと同様の効果が有る。
【０１６４】
（第１７の実施の形態）
図１７は、第１７の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路１７２と、スイッチ１７３と、ｎ個の電気光変換器１７４と、制御回路１７５と、ｎ個の第２の信号フォーマット変換回路１７６を有する。
【０１６５】
信号再生回路１７２は、光通信モジュールで一般に使用されている、ｃｌｏｃｋ  ｄａｔａ  ｒｅｃｏｖｅｒｙ  回路と言われる回路と同等の回路であり、光電気変換器１１から入力される信号をスイッチ１７３で処理可能な信号に再生して、スイッチ１７３に対して出力する。
【０１６６】
スイッチ１７３は、ｎ個の信号再生回路１７２の出力が入力されるとともにｎ個の第１の信号フォーマット変換回路１０の出力が入力され、制御回路１７５からの制御信号に応じて２ｎ個の入力のうちの任意のｎ個の入力を電気光変換器１７４に対して出力するとともに、他のｎ個の入力をｎ個の第２の信号フォーマット変換回路１７６の内の任意の回路に対して出力する。
【０１６７】
制御回路１７５は、制御信号入力用ポート５から入力される信号に基づいて、スイッチ１７３から出力する信号を選択するための制御信号をスイッチ１７３に対して出力する。
【０１６８】
電気光変換器１７４は、スイッチ１７３から入力される信号を光信号に変換して、光信号出力ポート２よりモジュール外部に出力する。
【０１６９】
第２の信号フォーマット変換回路１７６は、スイッチ１７３から入力される信号のフォーマットを、必要に応じて変更して、電気信号出力ポート４  よりモジュール外部に出力する。
【０１７０】
本実施の形態の光通信モジュールは、第５の実施の形態の光通信モジュールと同様の効果が有る。
【０１７１】
（第１８の実施の形態）
図１８は、第１８の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路１７２と、スイッチ１７３と、ｎ個の電気光変換器１７４と、制御回路１８５と、ｎ個の第２の信号フォーマット変換回路１８６と、ｎ個の信号出力停止回路２７を有する。
【０１７２】
制御回路１８５は、制御信号入力用ポート５から入力される信号に基づいて、スイッチ１７３から出力する信号を選択するための制御信号をスイッチ１７３に対して出力するとともに、信号出力停止回路２７に入力される信号をそのまま出力するかもしくは出力を停止するための制御信号をｎ個の信号出力停止回路２７に対してそれぞれ出力する。
【０１７３】
第２の信号フォーマット変換回路１８６は、スイッチ１７３から入力される信号のフォーマットを、必要に応じて変更し、信号出力停止回路２７に対して出力する。
【０１７４】
本実施の形態の光通信モジュールは、第６の実施の形態の光通信モジュールと同様の効果が有る。
【０１７５】
（第１９の実施の形態）
図１９は、第１９の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路３２と、スイッチ１９３と、ｎ個の電気光変換器３４と、制御回路１７５と、ｎ個の第２の信号フォーマット変換回路１７６と、ｎ個のシリアルパラレル変換回路１９８と、ｎ個のパラレルシリアル変換回路１９９を有する。
【０１７６】
シリアルパラレル変換回路１９８は、信号再生回路３２から入力されるシリアル信号をパラレル（並列）信号に変換して、スイッチ１９３に対して出力する。
【０１７７】
スイッチ１９３は、ｎ個のシリアルパラレル変換回路１９８の出力が入力されるとともにｎ個の第１の信号フォーマット変換回路１０の出力が入力され、制御回路１７５からの制御信号に応じて２ｎ個の入力のうちの任意のｎ個の入力をパラレルシリアル変換回路１９９に対して出力するとともに、他のｎ個の入力をｎ個の第２の信号フォーマット変換回路１７６の内の任意の回路に対して出力する。
【０１７８】
パラレルシリアル変換回路１９９は、スイッチ１９３から入力されるパラレル（並列）信号をシリアル信号に変換して、電気光変換器３４に対して出力する。
【０１７９】
本実施の形態の光通信モジュールは、第７の実施の形態の光通信モジュールと同様の効果が有る。
【０１８０】
（第２０の実施の形態）
図２０は、第２０の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、ｎ個の第１の信号フォーマット変換回路１０と、ｎ個の光電気変換器１１と、ｎ個の信号再生回路３２と、スイッチ１９３と、ｎ個の電気光変換器３４と、制御回路１８５と、ｎ個の第２の信号フォーマット変換回路１８６と、ｎ個のシリアルパラレル変換回路１９８と、ｎ個のパラレルシリアル変換回路１９９と、ｎ個の信号出力停止回路２７を有する。
【０１８１】
本実施の形態の光通信モジュールは、第８の実施の形態の光通信モジュールと同様の効果が有る。
【０１８２】
（第２１の実施の形態）
図２１は、第２１の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路２１２と、スイッチ２１３と、ｎ個の電気光変換器１４と、制御回路２１５と、第２の信号フォーマット変換回路２１６を有する。
【０１８３】
第１の信号フォーマット変換回路２１０は、ｎ個の電気信号入力ポート３から入力される電気信号のフォーマットを、制御回路２１５からの制御信号に応じて、モジュール内部の信号フォーマットに変更して、スイッチ２１３に対して出力する。
【０１８４】
信号再生回路２１２は、光通信モジュールで一般に使用されている、ｃｌｏｃｋ  ｄａｔａ  ｒｅｃｏｖｅｒｙ  回路と言われる回路と同等の回路であり、光電気変換器１１から入力される信号をスイッチ２１３等で処理可能な信号に再生して、スイッチ２１３及び第２の信号フォーマット変換回路２１６に対して出力する。
【０１８５】
スイッチ２１３は、ｎ個の信号再生回路２１２の出力が入力されるとともに第１の信号フォーマット変換回路２１０のｎ個の出力が入力され、制御回路２１５からの制御信号に応じて２ｎ個の入力のうちの任意のｎ個の入力を電気光変換器１４に対して出力する。
【０１８６】
制御回路２１５は、制御信号入力用ポート５から入力される信号に基づいて、スイッチ２１３から出力する信号を選択するための制御信号をスイッチ２１３に対して出力するとともに、第１の信号フォーマット変換回路２１０と第２の信号フォーマット変換回路２１６の変換形式を変更するための制御信号をそれぞれ第１の信号フォーマット変換回路２１０と第２の信号フォーマット変換回路２１６に対して出力する。
【０１８７】
第２の信号フォーマット変換回路２１６は、ｎ個の信号再生回路２１２から入力される信号のフォーマットを、制御回路２１５からの制御信号に応じて変更し、電気信号出力ポート４よりモジュール外部に出力する。
【０１８８】
本実施の形態の光通信モジュールは、第１の実施の形態のｎ個の第１及び第２の信号フォーマット変換回路をそれぞれ一体化し、さらに、変換形式を変更する機能を追加したものであり、第１の実施の形態の光通信モジュールと同様の動作が可能である。
【０１８９】
（第２２の実施の形態）
図２２は、第２２の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路２１２と、スイッチ２１３と、ｎ個の電気光変換器１４と、制御回路２２５と、第２の信号フォーマット変換回路２２６と、ｎ個の信号出力停止回路２２７を有する。
【０１９０】
制御回路２２５は、制御信号入力用ポート５から入力される信号に基づいて、スイッチ２１３から出力する信号を選択するための制御信号をスイッチ２１３に対して出力し、第１の信号フォーマット変換回路２１０と第２の信号フォーマット変換回路２２６の変換形式を変更するための制御信号をそれぞれ第１の信号フォーマット変換回路２１０と第２の信号フォーマット変換回路２２６に対して出力するとともに、信号出力停止回路２２７に入力される信号をそのまま出力するかもしくは出力を停止するための制御信号をｎ個の信号出力停止回路２２７に対してそれぞれ出力する。
【０１９１】
第２の信号フォーマット変換回路２２６は、ｎ個の信号再生回路２１２から入力される信号のフォーマットを、制御回路２２５からの制御信号に応じて変更し、信号出力停止回路２２７に対して出力する。
【０１９２】
信号出力停止回路２２７は、第２の信号フォーマット変換回路２２６の出力が入力され、制御回路２２５からの制御信号に応じて入力信号をそのまま電気信号出力ポート４よりモジュール外部に出力するかもしくは出力を停止する（例えば、電気信号出力ポート４から出力する信号の電圧を０Ｖ一定に保つ）。
【０１９３】
本実施の形態の光通信モジュールは、第２の実施の形態のｎ個の第１及び第２の信号フォーマット変換回路をそれぞれ一体化し、さらに、変換形式を変更する機能を追加したものであり、第２の実施の形態の光通信モジュールと同様の動作が可能である。
【０１９４】
（第２３の実施の形態）
図２３は、第２３の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路３２と、スイッチ２３３と、ｎ個の電気光変換器３４と、制御回路２１５と、第２の信号フォーマット変換回路２３６と、ｎ個のシリアルパラレル変換回路２３８と、ｎ個のパラレルシリアル変換回路３９を有する。
【０１９５】
シリアルパラレル変換回路２３８は、信号再生回路３２から入力されるシリアル信号をパラレル（並列）信号に変換して、スイッチ２３３と第２の信号フォーマット変換回路２３６に対して出力する。
【０１９６】
スイッチ２３３は、ｎ個のシリアルパラレル変換回路２３８の出力が入力されるとともに第１の信号フォーマット変換回路２１０のｎ個の出力が入力され、制御回路２１５からの制御信号に応じて２ｎ個の入力のうちの任意のｎ個の入力をパラレルシリアル変換回路３９に対して出力する。
【０１９７】
第２の信号フォーマット変換回路２３６は、ｎ個のシリアルパラレル変換回路２３８から入力される信号のフォーマットを、制御回路２１５からの制御信号に応じて変更し、電気信号出力ポート４よりモジュール外部に出力する。
【０１９８】
本実施の形態の光通信モジュールは、第３の実施の形態のｎ個の第１及び第２の信号フォーマット変換回路をそれぞれ一体化し、さらに、変換形式を変更する機能を追加したものであり、第３の実施の形態の光通信モジュールと同様の動作が可能である。
【０１９９】
（第２４の実施の形態）
図２４は、第２４の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路３２と、スイッチ２３３と、ｎ個の電気光変換器３４と、制御回路２２５と、第２の信号フォーマット変換回路２４６と、ｎ個のシリアルパラレル変換回路２３８と、ｎ個のパラレルシリアル変換回路３９と、ｎ個の信号出力停止回路２２７を有する。
【０２００】
第２の信号フォーマット変換回路２４６は、シリアルパラレル変換回路２３８から入力される信号のフォーマットを、必要に応じて変更し、信号出力停止回路２２７に対して出力する。
【０２０１】
本実施の形態の光通信モジュールは、第４の実施の形態のｎ個の第１及び第２の信号フォーマット変換回路をそれぞれ一体化し、さらに、変換形式を変更する機能を追加したものであり、第４の実施の形態の光通信モジュールと同様の動作が可能である。
【０２０２】
（第２５の実施の形態）
図２５は、第２５の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路２５２と、第１のスイッチ２５３ａと、ｎ個の電気光変換器２５４と、制御回路２５５と、第２の信号フォーマット変換回路２５６と、第２のスイッチ２５３ｂを有する。
【０２０３】
第１の信号フォーマット変換回路２５０は、ｎ個の電気信号入力ポート３から入力される電気信号のフォーマットを、制御回路２５５からの制御信号に応じて、モジュール内部の信号フォーマットに変更して、第１のスイッチ２５３ａに対して出力する。
【０２０４】
信号再生回路２５２は、光通信モジュールで一般に使用されている、ｃｌｏｃｋ  ｄａｔａ  ｒｅｃｏｖｅｒｙ  回路と言われる回路と同等の回路であり、光電気変換器１１から入力される信号を第１のスイッチ２５３ａ等で処理可能な信号に再生して、第１のスイッチ２５３ａ及び第２の信号フォーマット変換回路２５６に対して出力する。
【０２０５】
第１のスイッチ２５３ａは、ｎ個の信号再生回路２５２の出力が入力されるとともに第１の信号フォーマット変換回路２５０のｎ個の出力が入力され、制御回路２５５からの制御信号に応じて２ｎ個の入力のうちの任意のｎ個の入力を電気光変換器２５４に対して出力する。
【０２０６】
電気光変換器２５４は、第１のスイッチ２５３ａから入力される信号を光信号に変換して、光信号出力ポート２よりモジュール外部に出力する。
【０２０７】
制御回路２５５は、制御信号入力用ポート５から入力される信号に基づいて、第１のスイッチ２５３ａから出力する信号を選択するための制御信号を第１のスイッチ２５３ａに対して出力し、第１の信号フォーマット変換回路２５０と第２の信号フォーマット変換回路２５６の変換形式を変更するための制御信号をそれぞれ第１の信号フォーマット変換回路２５０と第２の信号フォーマット変換回路２５６に対して出力するとともに、第２のスイッチ２５３ｂの方路切り替えを行なうための制御信号を第２のスイッチ２５３ｂに対して出力する。
【０２０８】
第２の信号フォーマット変換回路２５６は、ｎ個の信号再生回路２５２から入力される信号のフォーマットを、制御回路２５５からの制御信号に応じて変更し、第２のスイッチ２５３ｂに対して出力する。
【０２０９】
第２のスイッチ２５３ｂは、第２の信号フォーマット変換回路２５６のｎ個の出力が入力され、制御回路２５５からの制御信号に応じて方路を切り替えることにより、ｎ個の入力信号をｎ個の電気信号出力ポート４の内の任意のポートよりモジュール外部に出力する。
【０２１０】
本実施の形態の光通信モジュールは、第５の実施の形態のｎ個の第１及び第２の信号フォーマット変換回路をそれぞれ一体化し、さらに、変換形式を変更する機能を追加したものであり、第５の実施の形態の光通信モジュールと同様の動作が可能である。
【０２１１】
（第２６の実施の形態）
図２６は、第２６の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号ブォーマット変換回路２５０と、ｎ個の光電気変換器１１と、ｎ個の信号再生回路２５２と、第１のスイッチ２５３ａと、ｎ個の電気光変換器２５４と、制御回路２６５と、第２の信号フォーマット変換回路２５６と、第２のスイッチ２６３と、ｎ個の信号出力停止回路６７を有する。
【０２１２】
制御回路２６５は、制御信号入力用ポート５から入力される信号に基づいて、第１のスイッチ２５３ａから出力する信号を選択するための制御信号を第１のスイッチ２５３ａに対して出力し、第１の信号フォーマット変換回路２５０と第２の信号フォーマット変換回路２５６の変換形式を変更するための制御信号をそれぞれ第１の信号フォーマット変換回路２５０と第２の信号フォーマット変換回路２５６に対して出力し、第２のスイッチ２６３の方路切り替えを行なうための制御信号を第２のスイッチ２６３に対して出力するとともに、信号出力停止回路６７に入力される信号をそのまま出力するかもしくは出力を停止するための制御信号をｎ個の信号出力停止回路６７に対してそれぞれ出力する。
【０２１３】
第２のスイッチ２６３は、第２の信号フォーマット変換回路２５６のｎ個の出力が入力され、制御回路２６５からの制御信号に応じて方路を切り替えることにより、ｎ個の入力信号をｎ個の信号出力停止回路６７の内の任意の回路に対して出力する。
【０２１４】
本実施の形態の光通信モジュールは、第６の実施の形態のｎ個の第１及び第２の信号フォーマット変換回路をそれぞれ一体化し、さらに、変換形式を変更する機能を追加したものであり、第６の実施の形態の光通信モジュールと同様の動作が可能である。
【０２１５】
（第２７の実施の形態）
図２７は、第２７の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路３２と、第１のスイッチ２７３と、ｎ個の電気光変換器３４と、制御回路２５５と、第２の信号フォーマット変換回路２７６と、第２のスイッチ２５３ｂと、ｎ個のシリアルパラレル変換回路２７８と、ｎ個のパラレルシリアル変換回路７９を有する。
【０２１６】
シリアルパラレル変換回路２７８は、信号再生回路３２から入力されるシリアル信号をパラレル（並列）信号に変換して、第１のスイッチ２７３と第２の信号フォーマット変換回路２７６に対して出力する。
【０２１７】
第１のスイッチ２７３は、ｎ個のシリアルパラレル変換回路２７８の出力が入力されるとともに第１の信号フォーマット変換回路２５０のｎ個の出力が入力され、制御回路２５５からの制御信号に応じて２ｎ個の入力のうちの任意のｎ個の入力をパラレルシリアル変換回路７９に対して出力する。
【０２１８】
第２の信号フォーマット変換回路２７６は、ｎ個のシリアルパラレル変換回路２７８から入力される信号のフォーマットを、制御回路２５５からの制御信号に応じて変更し、第２のスイッチ２５３ｂに対して出力する。
【０２１９】
本実施の形態の光通信モジュールは、第７の実施の形態のｎ個の第１及び第２の信号フォーマット変換回路をそれぞれ一体化し、さらに、変換形式を変更する機能を追加したものであり、第７の実施の形態の光通信モジュールと同様の動作が可能である。
【０２２０】
（第２８の実施の形態）
図２８は、第２８の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路３２と、第１のスイッチ２７３と、ｎ個の電気光変換器３４と、制御回路２６５と、第２の信号フォーマット変換回路２７６と、第２のスイッチ２６３と、ｎ個のシリアルパラレル変換回路２７８と、ｎ個のパラレルシリアル変換回路７９と、ｎ個の信号出力停止回路６７を有する。
【０２２１】
本実施の形態の光通信モジュールは、第８の実施の形態のｎ個の第１及び第２の信号フォーマット変換回路をそれぞれ一体化し、さらに、変換形式を変更する機能を追加したものであり、第８の実施の形態の光通信モジュールと同様の動作が可能である。
【０２２２】
（第２９の実施の形態）
図２９は、第２９の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路２９２と、第１のスイッチ２５３ａと、ｎ個の電気光変換器２５４と、制御回路２９５と、第２の信号フォーマット変換回路２９６と、第２のスイッチ２９３を有する。
【０２２３】
信号再生回路２９２は、光通信モジュールで一般に使用されている、ｃｌｏｃｋ  ｄａｔａ  ｒｅｃｏｖｅｒｙ  回路と言われる回路と同等の回路であり、光電気変換器１１から入力される信号を第１のスイッチ２５３ａ等で処理可能な信号に再生して、第１のスイッチ２５３ａ及び第２のスイッチ２９３に対して出力する。
【０２２４】
制御回路２９５は、制御信号入力用ポート５から入力される信号に基づいて、第１のスイッチ２５３ａから出力する信号を選択するための制御信号を第１のスイッチ２５３ａに対して出力し、第１の信号フォーマット変換回路２５０と第２の信号フォーマット変換回路２９６の変換形式を変更するための制御信号をそれぞれ第１の信号フォーマット変換回路２５０と第２の信号フォーマット変換回路２９６に対して出力するとともに、第２のスイッチ２９３の方路切り替えを行なうための制御信号を第２のスイッチ２９３に対して出力する。
【０２２５】
第２のスイッチ２９３は、ｎ個の信号再生回路２９２の出力が入力され、制御回路２９５からの制御信号に応じて方路を切り替えることにより、ｎ個の入力信号を第２の信号フォーマット変換回路２９６のｎ個の入力の内の任意の入力に対して出力する。
【０２２６】
第２の信号フォーマット変換回路２９６は、第２のスイッチ２９３から入力される信号のフォーマットを、制御回路２９５からの制御信号に応じて変更して、電気信号出力ポート４よりモジュール外部に出力する。
【０２２７】
本実施の形態の光通信モジュールは、第９の実施の形態のｎ個の第１及び第２の信号フォーマット変換回路をそれぞれ一体化し、さらに、変換形式を変更する機能を追加したものであり、第９の実施の形態の光通信モジュールと同様の動作が可能である。
【０２２８】
（第３０の実施の形態）
図３０は、第３０の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路２９２と、第１のスイッチ２５３ａと、ｎ個の電気光変換器２５４と、制御回路３０５と、第２の信号フォーマット変換回路３０６と、第２のスイッチ２９３と、ｎ個の信号出力停止回路２２７を有する。
【０２２９】
制御回路３０５は、制御信号入力用ポート５から入力される信号に基づいて、第１のスイッチ２５３ａから出力する信号を選択するための制御信号を第１のスイッチ２５３ａに対して出力し、第１の信号フォーマット変換回路２５０と第２の信号フォーマット変換回路３０６の変換形式を変更するための制御信号をそれぞれ第１の信号フォーマット変換回路２５０と第２の信号フォーマット変換回路３０６に対して出力し、第２のスイッチ２９３の方路切り替えを行なうための制御信号を第２のスイッチ２９３に対して出力するとともに、信号出力停止回路２２７に入力される信号をそのまま出力するかもしくは出力を停止するための制御信号をｎ個の信号出力停止回路２２７に対してそれぞれ出力する。
【０２３０】
第２の信号フォーマット変換回路３０６は、第２のスイッチ２９３から入力される信号のフォーマットを、制御回路３０５からの制御信号に応じて変更して、信号出力停止回路２２７に対して出力する。
【０２３１】
本実施の形態の光通信モジュールは、第１０の実施の形態のｎ個の第１及び第２の信号フォーマット変換回路をそれぞれ一体化し、さらに、変換形式を変更する機能を追加したものであり、第１０の実施の形態の光通信モジュールと同様の動作が可能である。
【０２３２】
（第３１の実施の形態）
図３１は、第３１の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路３２と、第１のスイッチ２７３と、ｎ個の電気光変換器３４と、制御回路２９５と、第２の信号フォーマット変換回路２９６と、第２のスイッチ３１３と、ｎ個のシリアルパラレル変換回路３１８と、ｎ個のパラレルシリアル変換回路７９を有する。
【０２３３】
シリアルパラレル変換回路３１８は、信号再生回路３２から入力されるシリアル信号をパラレル（並列）信号に変換して、第１のスイッチ２７３と第２のスイッチ３１３に対して出力する。
【０２３４】
第２のスイッチ３１３は、ｎ個のシリアルパラレル変換回路３１８の出力が入力され、制御回路２９５からの制御信号に応じて方路を切り替えることにより、ｎ個の入力信号を第２の信号フォーマット変換回路２９６のｎ個の入力の内の任意の入力に対して出力する。
【０２３５】
本実施の形態の光通信モジュールは、第１１の実施の形態のｎ個の第１及び第２の信号フォーマット変換回路をそれぞれ一体化し、さらに、変換形式を変更する機能を追加したものであり、第１１の実施の形態の光通信モジュールと同様の動作が可能である。
【０２３６】
（第３２の実施の形態）
図３２は、第３２の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路３２と、第１のスイッチ２７３と、ｎ個の電気光変換器３４と、制御回路３０５と、第２の信号フォーマット変換回路３０６と、第２のスイッチ３１３と、ｎ個のシリアルパラレル変換回路３１８と、ｎ個のパラレルシリアル変換回路７９と、ｎ個の信号出力停止回路２２７を有する。
【０２３７】
本実施の形態の光通信モジュールは、第１２の実施の形態のｎ個の第１及び第２の信号フォーマット変換回路をそれぞれ一体化し、さらに、変換形式を変更する機能を追加したものであり、第１２の実施の形態の光通信モジュールと同様の動作が可能である。
【０２３８】
（第３３の実施の形態）
図３３は、第３３の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路１３２と、第１のスイッチ３３３ａと、ｎ個の電気光変換器５４と、制御回路３３５と、第２の信号フォーマット変換回路２９６と、第２のスイッチ３３３ｂを有する。
【０２３９】
第２のスイッチ３３３ｂは、ｎ個の信号再生回路１３２の出力が入力され、制御回路３３５からの制御信号に応じて方路を切り替えることにより、ｎ個の入力信号を第２の信号フォーマット変換回路２９６のｎ個の入力の内の任意の入力に対して出力するとともに、第１のスイッチ３３３ａに対して出力する。
【０２４０】
第１のスイッチ３３３ａは、第２のスイッチ３３３ｂの出力が入力されるとともに第１の信号フォーマット変換回路２５０のｎ個の出力が入力され、制御回路３３５からの制御信号に応じて２ｎ個の入力のうちの任意のｎ個の入力を電気光変換器５４に対して出力する。
【０２４１】
制御回路３３５は、制御信号入力用ポート５から入力される信号に基づいて、第１のスイッチ３３３ａから出力する信号を選択するための制御信号を第１のスイッチ３３３ａに対して出力し、第１の信号フォーマット変換回路２５０と第２の信号フォーマット変換回路２９６の変換形式を変更するための制御信号をそれぞれ第１の信号フォーマット変換回路２５０と第２の信号フォーマット変換回路２９６に対して出力するとともに、第２のスイッチ３３３ｂの方路切り替えを行なうための制御信号を第２のスイッチ３３３ｂに対して出力する。
【０２４２】
本実施の形態の光通信モジュールは、第１３の実施の形態のｎ個の第１及び第２の信号フォーマット変換回路をそれぞれ一体化し、さらに、変換形式を変更する機能を追加したものであり、第１３の実施の形態の光通信モジュールと同様の動作が可能である。
【０２４３】
（第３４の実施の形態）
図３４は、第３４の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５  と、第１の信号フォーマット変換回路２５０と、ｎ個の光電気変換器１１と、ｎ個の信号再生回路１３２と、第１のスイッチ３３３ａと、ｎ個の電気光変換器５４と、制御回路３４５と、第２の信号フォーマット変換回路３０６と、第２のスイッチ３３３ｂと、ｎ個の信号出力停止回路２２７を有する。
【０２４４】
制御回路３４５は、制御信号入力用ポート５から入力される信号に基づいて、第１のスイッチ３３３ａから出力する信号を選択するための制御信号を第１のスイッチ３３３ａに対して出力し、第１の信号フォーマット変換回路２５０と第２の信号フォーマット変換回路３０６の変換形式を変更するための制御信号をそれぞれ第１の信号フォーマット変換回路２５０と第２の信号フォーマット変換回路３０６に対して出力し、第２のスイッチ３３３ｂの方路切り替えを行なうための制御信号を第２のスイッチ３３３ｂに対して出力するとともに、信号出力停止回路２２７に入力される信号をそのまま出力するかもしくは出力を停止するための制御信号をｎ個の信号出力停止回路２２７に対してそれぞれ出力する。
【０２４５】
本実施の形態の光通信モジュールは、第１４の実施の形態のｎ個の第１及び第２の信号フォーマット変換回路をそれぞれ一体化し、さらに、変換形式を変更する機能を追加したものであり、第１４の実施の形態の光通信モジュールと同様の動作が可能である。
【０２４６】
（第３５の実施の形態）
図３５は、第３５の実施の形態である光通信モジュールの構成を示す図である。この光通信モジュールは、ｎ（ｎは２以上の整数〉個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２５０と、ｎ個の光電気変換器１１と、ｎ個の信号再生回路３２と、第１のスイッチ３５３ａと、ｎ個の電気光変換器３４と、制御回路３３５と、第２の信号フォーマット変換回路２９６と、第２のスイッチ３５３ｂと、ｎ個のシリアルパラレル変換回路３５８と、ｎ個のパラレルシリアル変換回路７９を有する。
【０２４７】
シリアルパラレル変換回路３５８は、信号再生回路３２から入力されるシリアル信号をパラレル（並列）信号に変換して、第１のスイッチ３５３ａと第２のスイッチ３５３ｂに対して出力する。
【０２４８】
第２のスイッチ３５３ｂは、ｎ個のシリアルパラレル変換回路３５８の出力が入力され、制御回路３３５からの制御信号に応じて方路を切り替えることにより、ｎ個の入力信号を第２の信号フォーマット変換回路２９６のｎ個の入力の内の任意の入力に対して出力する。
【０２４９】
第１のスイッチ３５３ａは、第２のスイッチ３５３ｂの出力が入力されるとともに第１の信号フォーマット変換回路２５０のｎ個の出力が入力され、制御回路３３５からの制御信号に応じて２ｎ個の入力のうちの任意のｎ個の入力をパラレルシリアル変換回路７９に対して出力する。
【０２５０】
本実施の形態の光通信モジュールは、第１５の実施の形態のｎ個の第１及び第２の信号フォーマット変換回路をそれぞれ一体化し、さらに、変換形式を変更する機能を追加したものであり、第１５の実施の形態の光通信モジュールと同様の動作が可能である。
【０２５１】
（第３６の実施の形態）
図３６は、第３６の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３  と、ｎ個の電気信号出力ポート４と、制御信号入力用ポート５と、第１の信号フォーマット変換回路２５０と、ｎ個の光電気変換器１１と、ｎ個の信号再生回路３２と、第１のスイッチ３５３ａと、ｎ個の電気光変換器３４と、制御回路３４５と、第２の信号フォーマット変換回路３０６と、第２のスイッチ３５３ｂと、ｎ個のシリアルパラレル変換回路３５８と、ｎ個のパラレルシリアル変換回路７９と、ｎ個の信号出力停止回路２２７を有する。
【０２５２】
本実施の形態の光通信モジュールは、第１６の実施の形態のｎ個の第１及び第２の信号フォーマット変換回路をそれぞれ一体化し、さらに、変換形式を変更する機能を追加したものであり、第１６の実施の形態の光通信モジュールと同様の動作が可能である。
【０２５３】
（第３７の実施の形態）
図３７は、第３７の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路３７２と、スイッチ３７３と、ｎ個の電気光変換器３７４と、制御回路３７５と、第２の信号フォーマット変換回路３７６を有する。
【０２５４】
信号再生回路３７２は、光通信モジュールで一般に使用されている、ｃｌｏｃｋ  ｄａｔａ  ｒｅｃｏｖｅｒｙ  回路と言われる回路と同等の回路であり、光電気変換器１１から入力される信号をスイッチ３７３で処理可能な信号に再生して、スイッチ３７３に対して出力する。
【０２５５】
スイッチ３７３は、ｎ個の信号再生回路３７２の出力が入力されるとともに第１の信号フォーマット変換回路２１０のｎ個の出力が入力され、制御回路３７５からの制御信号に応じて２ｎ個の入力のうちの任意のｎ個の入力を電気光変換器３７４に対して出力するとともに、他のｎ個の入力を第２の信号フォーマット変換回路３７６のｎ個の入力の内の任意の入力に対して出力する。
【０２５６】
制御回路３７５は、制御信号入力用ポート５から入力される信号に基づいて、スイッチ３７３から出力する信号を選択するための制御信号をスイッチ３７３に対して出力するとともに、第１の信号フォーマット変換回路２１０と第２の信号フォーマット変換回路３７６の変換形式を変更するための制御信号をそれぞれ第１の信号フォーマット変換回路２１０と第２の信号フォーマット変換回路３７６に対して出力する。
【０２５７】
電気光変換器３７４は、スイッチ３７３から入力される信号を光信号に変換して、光信号出力ポート２よりモジュール外部に出力する。
第２の信号フォーマット変換回路３７６は、スイッチ３７３から入力される信号のフォーマットを、制御回路３７５からの制御信号に応じて変更して、電気信号出力ポート４よりモジュール外部に出力する。
【０２５８】
本実施の形態の光通信モジュールは、第１７の実施の形態のｎ個の第１及び第２の信号フォーマット変換回路をそれぞれ一体化し、さらに、変換形式を変更する機能を追加したものであり、第１７の実施の形態の光通信モジュールと同様の動作が可能である。
【０２５９】
（第３８の実施の形態）
図３８は、第３８の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路３７２と、スイッチ３７３と、ｎ個の電気光変換器３７４と、制御回路３８５と、第２の信号フォーマット変換回路３８６と、ｎ個の信号出力停止回路２２７を有する。
【０２６０】
制御回路３８５は、制御信号入力用ポート５から入力される信号に基づいて、スイッチ３７３から出力する信号を選択するための制御信号をスイッチ３７３に対して出力し、第１の信号フォーマット変換回路２１０と第２の信号フォーマット変換回路３８６の変換形式を変更するための制御信号をそれぞれ第１の信号フォーマット変換回路２１０と第２の信号フォーマット変換回路３８６に対して出力するとともに、信号出力停止回路２２７に入力される信号をそのまま出力するかもしくは出力を停止するための制御信号をｎ個の信号出力停止回路２２７に対してそれぞれ出力する。
【０２６１】
第２の信号フォーマット変換回路３８６は、スイッチ３７３から入力される信号のフォーマットを、制御回路３８５からの制御信号に応じて変更し、信号出力停止回路２２７に対して出力する。
【０２６２】
本実施の形態の光通信モジュールは、第１８の実施の形態のｎ個の第１及び第２の信号フォーマット変換回路をそれぞれ一体化し、さらに、変換形式を変更する機能を追加したものであり、第１８の実施の形態の光通信モジュールと同様の動作が可能である。
【０２６３】
（第３９の実施の形態）
図３９は、第３９の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路３２と、スイッチ３９３と、ｎ個の電気光変換器３４と、制御回路３７５と、第２の信号フォーマット変換回路３７６と、ｎ個のシリアルパラレル変換回路３９８と、ｎ個のパラレルシリアル変換回路３９９を有する。
【０２６４】
シリアルパラレル変換回路３９８は、信号再生回路３２から入力されるシリアル信号をパラレル（並列）信号に変換して、スイッチ３９３に対して出力する。
【０２６５】
スイッチ３９３は、ｎ個のシリアルパラレル変換回路３９８の出力が入力されるとともに第１の信号フォーマット変換回路２１０のｎ個の出力が入力され、制御回路３７５からの制御信号に応じて２ｎ個の入力のうちの任意のｎ個の入力をパラレルシリアル変換回路３９９に対して出力するとともに、他のｎ個の入力を第２の信号フォーマット変換回路３７６のｎ個の入力の内の任意の入力に対して出力する。
【０２６６】
パラレルシリアル変換回路３９９は、スイッチ３９３から入力されるパラレル（並列）信号をシリアル信号に変換して、電気光変換器３４に対して出力する。
【０２６７】
本実施の形態の光通信モジュールは、第１９の実施の形態のｎ個の第１及び第２の信号フォーマット変換回路をそれぞれ一体化し、さらに、変換形式を変更する機能を追加したものであり、第１９の実施の形態の光通信モジュールと同様の動作が可能である。
【０２６８】
（第４０の実施の形態）
図４０は、第４０の実施の形態である光通信モジュールの構成を示す図である。この光通信モジュールは、ｎ（ｎは２以上の整数）個の光信号入力ポート１と、ｎ個の光信号出力ポート２と、ｎ個の電気信号入力ポート３と、ｎ個の電気信号出力ポート４と、制御信号入力用ポート５と、第１の信号フォーマット変換回路２１０と、ｎ個の光電気変換器１１と、ｎ個の信号再生回路３２と、スイッチ３９３と、ｎ個の電気光変換器３４と、制御回路３８５と、第２の信号フォーマット変換回路３８６と、ｎ個のシリアルパラレル変換回路３９８と、ｎ個のパラレルシリアル変換回路３９９と、ｎ個の信号出力停止回路２２７を有する。
【０２６９】
本実施の形態の光通信モジュールは、第２０の実施の形態のｎ個の第１及び第２の信号フォーマット変換回路をそれぞれ一体化し、さらに、変換形式を変更する機能を追加したものであり、第２０の実施の形態の光通信モジュールと同様の動作が可能である。
【０２７０】
（第４１の実施の形態）
図４１は、第４１の実施の形態である光アッド／ドロップ装置の構成を示す図である。この光アッド／ドロップ装置は、光デマルチプレクサ１００１と、光通信モジュール１００２と、光マルチプレクサ１００３を有する。
【０２７１】
光デマルチプレクサ１００１は、互いに異なる波長を有するｎ（ｎは２以上の整数）個の光信号を波長多重して得られたＷＤＭ信号光を供給されてｎ個の光信号に分離して、光通信モジュール１００２に対して出力する。
【０２７２】
光通信モジュール１００２は、請求項４３〜４５の発明に相当する光通信モジュールであり、光デマルチプレクサ１００１のｎ個の出力が入力されるとともにｎ個の電気信号が入力され、ｎ個の光信号を光マルチプレクサ１００３に対して出力するとともにｎ個の電気信号を出力する。
【０２７３】
光マルチプレクサ１００３は、光通信モジュール１００２のｎ個の光信号出力が入力され入力されたｎ個の光信号を波長多重する。
【０２７４】
本実施の形態の光アッド／ドロップ装置は、従来技術による光アッド／ドロップ装置と比較して必要となる部品数が少なくなるとともに、同一の光通信モジュールを多種の装置に使用することにより、小型化、低コスト化が可能である。
【０２７５】
なお本実施の形態では、波長数はｎであり、光通信モジュールのｎ個の電気信号入力ポート及び電気信号出力ポートのうちのＭ個を使用する（Ｍはｎ以下）。
【０２７６】
（第４２の実施の形態）
図４２は、第４２の実施の形態である光通信装置の構成を示す図である。この光通信装置は、請求項１〜４５の発明に相当する光通信モジュール１００４を有し、光通信モジュール１００４を光入出力のスイッチとして使用する。
【０２７７】
本実施の形態の光通信装置は、同一の光通信モジュールを多種の光通信装置に使用することにより、低コスト化が可能である。
【０２７８】
なお本実施の形態では、ｎ個の光信号入力をｎ個の光信号出力ポートの任意の出力ポートより出力する。電気信号入力ポート及び電気信号出力ポートは使用しない（もしくは一部のみ使用する）。
【０２７９】
（第４３の実施の形態）
図４３は、第４３の実施の形態である光通信装置の構成を示す図である。この光通信装置は、請求項４３〜４５の発明に相当する光通信モジュール１００５を有し、光通信モジュール１００５を光信号の波長変換器として使用する。
【０２８０】
本実施の形態の光通信装置は、同一の光通信モジュールを多種の光通信装置に使用することにより、低コスト化が可能である。
【０２８１】
なお本実施の形態では、ｎ個の光信号入力をｎ個の光信号出力ポートのうち特定の波長の光信号を出力する出力ポートより出力する。電気信号入力ポート及び電気信号出力ポートは使用しない（もしくは一部のみ使用する）。
【０２８２】
【発明の効果】
請求項１に係る発明によれば、光アッド／ドロップ装置に必要なスイッチ機能を光通信モジュール内の第１の信号フォーマット変換回路と電気光変換器の間に挿入することにより、光アッド／ドロップ装置の小型化を実現可能としている。また、請求項１の光通信モジュールはモジュール内部のスイッチの方路をモジュール外部より切り替えることが可能であるため、光アッド／ドロップ装置以外の光通信装置にも従来の光通信モジュールと同様に適用でき、同一のモジュールを多種の光通信装置に適用することによるモジュールの生産性の向上（同一モジュールの多量生産）及びそれに伴うモジュール生産コストの低減、光通信装置の開発・生産コストの低減が可能となる。
【０２８３】
請求項２に係る発明によれば、請求項１の光通信モジュールと同様の効果が有る他に、光通信モジュール内の信号出力停止回路により、光通信モジュールの使用しない電気信号出力ポートからの出力を停止する（例えば、出力信号の電圧を０Ｖ一定に保つ）ことが可能となる。請求項１の光通信モジュールを光アッド／ドロップ装置に適用した場合、電気信号出力ポートから出力する必要が無い信号も出力してしまい、その信号により光通信装置内で発生する電磁ノイズが問題となる可能性がある。信号出力停止回路により出力する必要が無い電気信号出力ポートからの出力を停止することにより、光通信装置内で発生する電磁ノイズを低減することが可能となる。
【０２８４】
請求項３及び請求項４に係る発明によれば、請求項１及び請求項２の光通信モジュールと同様の効果が有る他に、光通信モジュール内へのシリアルパラレル変換回路とパラレルシリアル変換回路の搭載により、光通信モジュール内部の電気信号の配線が容易になるという効果がある。
【０２８５】
請求項５に係る発明によれば、請求項１の光通信モジュールと同様の効果が有る他に、光通信モジュール内の第２のスイッチの方路を切り替えることにより、光アッド／ドロップ装置に適用した場合の光通信モジュールの電気信号出力ポートの使用数を少なくすることができる。
【０２８６】
光通信モジュールの電気信号出力ポートの使用数が少なくなることにより、光アッド／ドロップ装置内の電気配線が容易になるという効果がある。
【０２８７】
請求項６に係る発明によれば、請求項５の光通信モジュールと同様の効果が有る他に、光通信モジュール内の信号出力停止回路により、光通信モジュールの使用しない電気信号出力ポートからの出力を停止する（例えば、出力信号の電圧を０Ｖ一定に保つ）ことが可能となる。請求項５の光通信モジュールを光アッド／ドロップ装置に適用した場合、電気信号出力ポートから出力する必要が無い信号も出力してしまい、その信号により光通信装置内で発生する電磁ノイズが問題となる可能性がある。信号出力停止回路により出力する必要が無い電気信号出力ポートからの出力を停止することにより、光通信装置内で発生する電磁ノイズを低減することが可能となる。
【０２８８】
請求項７及び請求項８に係る発明によれば、請求項５及び請求項６の光通信モジュールと同様の効果が有る他に、光通信モジュール内へのシリアルパラレル変換回路とパラレルシリアル変換回路の搭載により、光通信モジュール内部の電気信号の配線が容易になるという効果がある。
【０２８９】
請求項９〜１２に係る発明によれば、請求項５〜８の光通信モジュールと同様の効果が有る。
【０２９０】
請求項１３〜１６に係る発明によれば、請求項５〜８の光通信モジュールと同様の効果が有る。
【０２９１】
請求項１７〜２０に係る発明によれば、請求項５〜８の光通信モジュールと同様の効果が有る。
【０２９２】
請求項２１〜４０に係る発明によれば、請求項１〜２０の光通信モジュールと同様の効果が有る。
【０２９３】
請求項４１に係る発明によれば、請求項１〜２０の光通信モジュールと同様の効果が有る。
【０２９４】
請求項４２に係る発明によれば、光通信モジュール内の動作モードを変更することにより、光通信モジュールの第１の動作モードでは、それぞれ、請求項１〜請求項２０の光通信モジュールと同様の動作が可能である他に、光通信モジュールの第２の動作モードでは、ｎ個の光信号入力ポートから入力される信号をｎ並列の並列光信号として処理することが可能であるとともに、ｎ個の電気信号入力ポートから入力される信号をｎ並列の並列電気信号として処理することが可能である。
【０２９５】
請求項４３に係る発明によれば、請求項１〜請求項４２の光通信モジュールと同様の動作が可能である他に、光通信モジュール内のｎ個の電気光変換回路がそれぞれ異なる波長を有する光信号を出力するため、光通信モジュールの光信号出力ポートからの出力信号を波長多重用の光マルチプレクサに直接入力することが可能である。
【０２９６】
請求項４４に係る発明によれば、請求項１〜請求項４３の光通信モジュールと同様の動作が可能である他、光通信モジュール内の電気光変換回路より出力する光信号の波長が可変であるため、光通信モジュール内の電気光変換回路より出力する光信号の波長多重を行なう際の光信号の波長を変更することが可能である。
【０２９７】
請求項４５に係る発明によれば、請求項４４の光通信モジュールと同様の効果がある。
【０２９８】
請求項４６に係る発明によれば、請求項４３〜４５の光通信モジュールを使用することにより、光アッド／ドロップ装置に必要となる部品数が少なくなるとともに、同一の光通信モジュールを多種の装置に使用することにより、光アッド／ドロップ装置の小型化、低コスト化が可能である。
【図面の簡単な説明】
【図１】本発明の第１の実施の形態の光通信モジュールの構成を示す構成図である。
【図２】本発明の第２の実施の形態の光通信モジュールの構成を示す構成図である。
【図３】本発明の第３の実施の形態の光通信モジュールの構成を示す構成図である。
【図４】本発明の第４の実施の形態の光通信モジュールの構成を示す構成図である。
【図５】本発明の第５の実施の形態の光通信モジュールの構成を示す構成図である。
【図６】本発明の第６の実施の形態の光通信モジュールの構成を示す構成図である。
【図７】本発明の第７の実施の形態の光通信モジュールの構成を示す構成図である。
【図８】本発明の第８の実施の形態の光通信モジュールの構成を示す構成図である。
【図９】本発明の第９の実施の形態の光通信モジュールの構成を示す構成図である。
【図１０】本発明の第１０の実施の形態の光通信モジュールの構成を示す構成図である。
【図１１】本発明の第１１の実施の形態の光通信モジュールの構成を示す構成図である。
【図１２】本発明の第１２の実施の形態の光通信モジュールの構成を示す構成図である。
【図１３】本発明の第１３の実施の形態の光通信モジュールの構成を示す構成図である。
【図１４】本発明の第１４の実施の形態の光通信モジュールの構成を示す構成図である。
【図１５】本発明の第１５の実施の形態の光通信モジュールの構成を示す構成図である。
【図１６】本発明の第１６の実施の形態の光通信モジュールの構成を示す構成図である。
【図１７】本発明の第１７の実施の形態の光通信モジュールの構成を示す構成図である。
【図１８】本発明の第１８の実施の形態の光通信モジュールの構成を示す構成図である。
【図１９】本発明の第１９の実施の形態の光通信モジュールの構成を示す構成図である。
【図２０】本発明の第２０の実施の形態の光通信モジュールの構成を示す構成図である。
【図２１】本発明の第２１の実施の形態の光通信モジュールの構成を示す構成図である。
【図２２】本発明の第２２の実施の形態の光通信モジュールの構成を示す構成図である。
【図２３】本発明の第２３の実施の形態の光通信モジュールの構成を示す構成図である。
【図２４】本発明の第２４の実施の形態の光通信モジュールの構成を示す構成図である。
【図２５】本発明の第２５の実施の形態の光通信モジュールの構成を示す構成図である。
【図２６】本発明の第２６の実施の形態の光通信モジュールの構成を示す構成図である。
【図２７】本発明の第２７の実施の形態の光通信モジュールの構成を示す構成図である。
【図２８】本発明の第２８の実施の形態の光通信モジュールの構成を示す構成図である。
【図２９】本発明の第２９の実施の形態の光通信モジュールの構成を示す構成図である。
【図３０】本発明の第３０の実施の形態の光通信モジュールの構成を示す構成図である。
【図３１】本発明の第３１の実施の形態の光通信モジュールの構成を示す構成図である。
【図３２】本発明の第３２の実施の形態の光通信モジュールの構成を示す構成図である。
【図３３】本発明の第３３の実施の形態の光通信モジュールの構成を示す構成図である。
【図３４】本発明の第３４の実施の形態の光通信モジュールの構成を示す構成図である。
【図３５】本発明の第３５の実施の形態の光通信モジュールの構成を示す構成図である。
【図３６】本発明の第３６の実施の形態の光通信モジュールの構成を示す構成図である。
【図３７】本発明の第３７の実施の形態の光通信モジュールの構成を示す構成図である。
【図３８】本発明の第３８の実施の形態の光通信モジュールの構成を示す構成図である。
【図３９】本発明の第３９の実施の形態の光通信モジュールの構成を示す構成図である。
【図４０】本発明の第４０の実施の形態の光通信モジュールの構成を示す構成図である。
【図４１】本発明の第４１の実施の形態の光アッド／ドロップ装置の構成を示す構成図である。
【図４２】本発明の第４２の実施の形態の光通信装置の構成を示す構成図である。
【図４３】本発明の第４３の実施の形態の光通信装置の構成を示す構成図である。
【図４４】従来の光通信モジュールの構成を示す構成図である。
【図４５】従来の光通信モジュールの構成を示す構成図である。
【図４６】従来の光通信モジュールの構成を示す構成図である。
【図４７】従来の光通信モジュールの構成を示す構成図である。
【図４８】従来の光通信モジュールの構成を示す構成図である。
【図４９】従来の光アッド／ドロップ装置の構成を示す構成図である。
【図５０】従来の光アッド／ドロップ装置の構成を示す構成図である。
【図５１】従来の光アッド／ドロップ装置の構成を示す構成図である。
【符号の説明】
１  光信号入力ポート
２  光信号出力ポート
３  電気信号入力ポート
４  電気信号出力ポート
５  制御信号入力用ポート
１０，５０，２１０，２５０  第１の信号フォーマット変換回路
１１  光電気変換器
１２，３２，５２，９２，１３２，１７２，２１２，２５２，２９２，３７２信号再生回路
１３，３３，１７３，１９３，２１３，２３３，３７３，３９３  スイッチ
５３ａ，７３，１３３ａ，１５３ａ，２５３ａ，２７３，３３３ａ，３５３ａ第１のスイッチ
５３ｂ，６３，９３，１１３，１３３ｂ，１５３ｂ，２５３ｂ，２６３，２９３，３１３，３３３ｂ，３５３ｂ  第２のスイッチ
１４，３４，５４，１７４，２５４，３７４  電気光変換器
１５，２５，５５，６５，９５，１０５，１３５，１４５，１７５，１８５，２１５，２２５，２６５，２９５，３０５，３３５，３４５，３７５，３８５  制御回路
１６，２６，３６，４６，５６，７６，９６，１０６，１３６，１４６，１７６，１８６，２１６，２２６，２３６，２４６，２５６，２７６，２９６，３０６，３７６，３８６  第２の信号フォーマット変換回路
２７，６７，２２７  出力停止回路
３８，７８，１１８，１５８，１９８，２３８，２７８，３１８，３５８，３９８  シリアルパラレル変換回路
３９，７９，１９９，３９９  パラレルシリアル変換回路
１００１  光デマルチプレクサ
１００２，１００４，１００５  光通信モジュール
１００３  光マルチプレクサ
【図１】
2004282312.tif 000003
【図２】
2004282312.tif 000004
【図３】
2004282312.tif 000005
【図４】
2004282312.tif 000006
【図５】
2004282312.tif 000007
【図６】
2004282312.tif 000008
【図７】
2004282312.tif 000009
【図８】
2004282312.tif 000010
【図９】
2004282312.tif 000011
【図１０】
2004282312.tif 000012
【図１１】
2004282312.tif 000013
【図１２】
2004282312.tif 000014
【図１３】
2004282312.tif 000015
【図１４】
2004282312.tif 000016
【図１５】
2004282312.tif 000017
【図１６】
2004282312.tif 000018
【図１７】
2004282312.tif 000019
【図１８】
2004282312.tif 000020
【図１９】
2004282312.tif 000021
【図２０】
2004282312.tif 000022
【図２１】
2004282312.tif 000023
【図２２】
2004282312.tif 000024
【図２３】
2004282312.tif 000025
【図２４】
2004282312.tif 000026
【図２５】
2004282312.tif 000027
【図２６】
2004282312.tif 000028
【図２７】
2004282312.tif 000029
【図２８】
2004282312.tif 000030
【図２９】
2004282312.tif 000031
【図３０】
2004282312.tif 000032
【図３１】
2004282312.tif 000033
【図３２】
2004282312.tif 000034
【図３３】
2004282312.tif 000035
【図３４】
2004282312.tif 000036
【図３５】
2004282312.tif 000037
【図３６】
2004282312.tif 000038
【図３７】
2004282312.tif 000039
【図３８】
2004282312.tif 000040
【図３９】
2004282312.tif 000041
【図４０】
2004282312.tif 000042
【図４１】
2004282312.tif 000043
【図４２】
2004282312.tif 000044
【図４３】
2004282312.tif 000045
【図４４】
2004282312.tif 000046
【図４５】
2004282312.tif 000047
【図４６】
2004282312.tif 000048
【図４７】
2004282312.tif 000049
【図４８】
2004282312.tif 000050
【図４９】
2004282312.tif 000051
【図５０】
2004282312.tif 000052
【図５１】
2004282312.tif 000053